(57)【要約】無線デバイスが、少なくとも１つのメッセージを受信することが可能である。当該少なくとも１つのメッセージが、複数のセルの構成パラメータを含んでもよい。当該複数のセルが、一次セル及び１つ以上の二次セルを含んでもよい。アクティブ化／非アクティブ化（Ａ／Ｄ）媒体アクセス制御制御要素（ＭＡＣ  ＣＥ）が受信されてもよい。当該Ａ／Ｄ  ＭＡＣ  ＣＥが、当該１つ以上の二次セルのうちの少なくとも１つのアクティブ化を示してもよい。電力ヘッドルーム（ＰＨＲ）ＭＡＣ  ＣＥが送信されてもよい。当該ＰＨＲ  ＭＡＣ  ＣＥが、当該１つ以上の二次セルが、アップリンクを有する少なくとも１つのライセンス補助アクセス（ＬＡＡ）セルを備えることに応答して、当該一次セルのためのＴｙｐｅ２電力ヘッドルームフィールドを含んでもよい。当該少なくとも１つのＬＡＡセルが構成及びアクティブ化されてもよい。
2019519986.tif 000002
【特許請求の範囲】
【請求項１】
方法であって、
無線デバイスによって、一次セル及び１つ以上の二次セルを含む複数のセルの構成パラメータを含む、少なくとも１つのメッセージを受信することと；
前記１つ以上の二次セルのうちの少なくとも１つのアクティブ化を示すアクティブ化／非アクティブ化（Ａ／Ｄ）媒体アクセス制御制御要素（ＭＡＣ  ＣＥ）を受信することと；
電力ヘッドルーム（ＰＨＲ）ＭＡＣ  ＣＥを送信することであって、前記ＰＨＲ  ＭＡＣ  ＣＥが：
前記１つ以上の二次セルが、アップリンクを有する少なくとも１つのライセンス補助アクセス（ＬＡＡ）セルを含むことと；
前記少なくとも１つのＬＡＡセルが、構成及びアクティブ化されていることと；に応答して、前記一次セルのためのＴｙｐｅ２電力ヘッドルームフィールドを含むことと；を含む方法。
【請求項２】
前記ＰＨＲ  ＭＡＣ  ＣＥが、前記一次セルのためのタイプ１電力ヘッドルームフィールドを更に含む、請求項１に記載の方法。
【請求項３】
前記ＰＨＲ  ＭＡＣ  ＣＥが、同時的な物理的アップリンク制御チャネル（ＰＵＣＣＨ）及び物理的アップリンク共有チャネル（ＰＵＳＣＨ）が構成されていることに応答して、前記Ｔｙｐｅ２電力ヘッドルームフィールドを含む、請求項１に記載の方法。
【請求項４】
前記ＰＨＲ  ＭＡＣ  ＣＥが、少なくとも１つの物理的アップリンク制御チャネル（ＰＵＣＣＨ）二次セルを含む前記１つ以上の二次セルが構成及びアクティブ化されていることに応答して、前記Ｔｙｐｅ２電力ヘッドルームフィールドを含む、請求項１に記載の方法。
【請求項５】
前記少なくとも１つのメッセージが、拡張されたＰＨＲが構成されていることを示す少なくとも１つのパラメータを含む、請求項１に記載の方法。
【請求項６】
前記少なくとも１つのメッセージが、同時的なＰＵＣＣＨ伝送及び物理的アップリンク共有チャネル伝送が前記一次セルについて構成されているか否かを示す第１の情報要素を更に含む、請求項１に記載の方法。
【請求項７】
前記Ｔｙｐｅ２電力ヘッドルームフィールドのためのＴｙｐｅ２電力ヘッドルームレベルを、
ＰＵＣＣＨの求められた電力と、
ＰＵＣＣＨの求められた電力と、
を使用して求めることと、
前記算出されたＰＵＳＨの電力を使用して、前記タイプ１電力ヘッドルームフィールドのためのタイプ１電力ヘッドルームレベルを求めることと、を更に含む、請求項１に記載の方法。
【請求項８】
パスロス基準の信号を測定することによって測定値を取得することを更に含み、前記Ｔｙｐｅ２電力ヘッドルームフィールドのためのＴｙｐｅ２電力ヘッドルームレベルの算出が前記測定値を使用する、請求項１に記載の方法。
【請求項９】
前記ＰＨＲ  ＭＡＣ  ＣＥが、基地局により、アップリンクパケットスケジューリング及びアップリンク電力制御のうちの少なくとも一方のために使用される、請求項１に記載の方法。
【請求項１０】
前記１つ以上の二次セルのうちの少なくとも１つの二次セルを、前記Ａ／Ｄ  ＭＡＣ  ＣＥに従ってアクティブ化又は非アクティブ化することを更に含む、請求項１に記載の方法。
【請求項１１】
前記Ａ／Ｄ  ＭＡＣ  ＣＥ内のビットが、対応する二次セルが構成されていることに応答して、前記対応する二次セルのアクティブ化／非アクティブ化状況を示す、請求項１に記載の方法。
【請求項１２】
前記Ａ／Ｄ  ＭＡＣ  ＣＥ内のビットが、前記ビットが１に設定されており、かつ対応する二次セルが構成されていることに応答して、前記対応する二次セルがアクティブ化されていることを示す、請求項１に記載の方法。
【請求項１３】
無線デバイスであって、
１つ以上のプロセッサと、
複数の命令を記憶しているメモリであって、前記複数の命令が、前記１つ以上のプロセッサによって実行された時に、前記無線デバイスに、
一次セル及び１つ以上の二次セルを含む複数のセルの構成パラメータを含む少なくとも１つのメッセージを受信させ、
前記１つ以上の二次セルのうちの少なくとも１つのアクティブ化を示すアクティブ化／非アクティブ化（Ａ／Ｄ）媒体アクセス制御制御要素（ＭＡＣ  ＣＥ）を受信させ、
電力ヘッドルーム（ＰＨＲ）ＭＡＣ  ＣＥを送信させ、前記ＰＨＲ  ＭＡＣ  ＣＥが、
前記１つ以上の二次セルが、アップリンクを有する少なくとも１つのライセンス補助アクセス（ＬＡＡ）セルを含むことと、
前記少なくとも１つのＬＡＡセルが構成及びアクティブ化されていることと、に応答して、前記一次セルのためのＴｙｐｅ２電力ヘッドルームフィールドを含む、メモリと、を備える無線デバイス。
【請求項１４】
前記ＰＨＲ  ＭＡＣ  ＣＥが、前記一次セルのためのタイプ１電力ヘッドルームフィールドを更に含む、請求項１３に記載の無線デバイス。
【請求項１５】
前記ＰＨＲ  ＭＡＣ  ＣＥが、同時的な物理的アップリンク制御チャネル（ＰＵＣＣＨ）及び物理的アップリンク共有チャネル（ＰＵＳＣＨ）が構成されていることに応答して、前記Ｔｙｐｅ２電力ヘッドルームフィールドを含む、請求項１３に記載の無線デバイス。
【請求項１６】
前記ＰＨＲ  ＭＡＣ  ＣＥが、少なくとも１つの物理的アップリンク制御チャネル（ＰＵＣＣＨ）二次セルを含む前記１つ以上の二次セルが構成及びアクティブ化されていることに応答して、前記Ｔｙｐｅ２電力ヘッドルームフィールドを含む、請求項１３に記載の無線デバイス。
【請求項１７】
前記少なくとも１つのメッセージが、拡張ＰＨＲが構成されていることを示す少なくとも１つのパラメータを含む、請求項１３に記載の無線デバイス。
【請求項１８】
前記少なくとも１つのメッセージが、同時的なＰＵＣＣＨ伝送及び物理的アップリンク共有チャネル伝送が前記一次セルについて構成されているか否かを示す第１の情報要素を更に含む、請求項１３に記載の無線デバイス。
【請求項１９】
前記１つ以上のプロセッサによって実行された時に、前記無線デバイスに、
前記Ｔｙｐｅ２電力ヘッドルームフィールドのためのＴｙｐｅ２電力ヘッドルームレベルを、
ＰＵＣＣＨの求められた電力と、
ＰＵＳＣＨの求められた電力と、を用いて求めさせ、
前記算出されたＰＵＳＨの電力を使用して、前記タイプ１電力ヘッドルームフィールドのためのタイプ１電力ヘッドルームレベルを求めさせる  複数の命令を更に備える、請求項１３に記載の無線デバイス。
【請求項２０】
前記１つ以上のプロセッサによって実行された時に、前記無線デバイスに、パスロス基準の信号を測定することによって測定値を取得させる複数の命令を更に備え、前記Ｔｙｐｅ２電力ヘッドルームフィールドのためのＴｙｐｅ２電力ヘッドルームレベルの算出が前記測定値を使用する、請求項１３に記載の無線デバイス。
【請求項２１】
前記ＰＨＲ  ＭＡＣ  ＣＥが、基地局により、アップリンクパケットスケジューリング及びアップリンク電力制御のうちの少なくとも一方のために使用される、請求項１３に記載の無線デバイス。
【請求項２２】
前記１つ以上のプロセッサによって実行された時に、前記無線デバイスに、前記Ａ／Ｄ  ＭＡＣ  ＣＥに従って、前記１つ以上の二次セルのうちの少なくとも１つの二次セルをアクティブ化又は非アクティブ化させる複数の命令を更に備える、請求項１３に記載の無線デバイス。
【請求項２３】
前記Ａ／Ｄ  ＭＡＣ  ＣＥ内のビットが、対応する二次セルが構成されていることに応答して、前記対応する二次セルのアクティブ化／非アクティブ化状況を示す、請求項１３に記載の無線デバイス。
【請求項２４】
前記Ａ／Ｄ  ＭＡＣ  ＣＥ内のビットが、前記ビットが１に設定されており、かつ、対応する二次セルが構成されていることに応答して、前記対応する二次セルがアクティブ化されていることを示す、請求項１３に記載の無線デバイス。
【請求項２５】
方法であって、
無線デバイスにより、一次セル及び１つ以上の二次セルを含む複数のセルの構成パラメータを含む少なくとも１つのメッセージを受信することと、
電力ヘッドルーム（ＰＨＲ）ＭＡＣ  ＣＥを送信することであって、前記ＰＨＲ  ＭＡＣ  ＣＥが、
前記１つ以上の二次セルが、アップリンクを有する少なくとも１つのライセンス補助アクセス（ＬＡＡ）セルを含むことと、
前記少なくとも１つのＬＡＡセルが構成及びアクティブ化されていることと、に応答して、前記一次セルのためのＴｙｐｅ２電力ヘッドルームフィールドを含むことと、を含む方法。
【請求項２６】
前記ＰＨＲ  ＭＡＣ  ＣＥが、前記一次セルのためのタイプ１電力ヘッドルームフィールドを更に含む、請求項２５に記載の方法。
【請求項２７】
前記ＰＨＲ  ＭＡＣ  ＣＥが、同時的な物理的アップリンク制御チャネル（ＰＵＣＣＨ）及び物理的アップリンク共有チャネル（ＰＵＳＣＨ）が構成されていることに応答して、前記Ｔｙｐｅ２電力ヘッドルームフィールドを含む、請求項２５に記載の方法。
【請求項２８】
前記ＰＨＲ  ＭＡＣ  ＣＥが、少なくとも１つの物理的アップリンク制御チャネル（ＰＵＣＣＨ）二次セルを含む前記１つ以上の二次セルが構成及びアクティブ化されていることに応答して、前記Ｔｙｐｅ２電力ヘッドルームフィールドを含む、請求項２５に記載の方法。
【請求項２９】
前記少なくとも１つのメッセージが、拡張されたＰＨＲが構成されていることを示す少なくとも１つのパラメータを含む、請求項２５に記載の方法。
【請求項３０】
前記少なくとも１つのメッセージが、同時的なＰＵＣＣＨ伝送及び物理的アップリンク共有チャネル伝送が前記一次セルについて構成されているか否かを示す第１の情報要素を更に含む、請求項２５に記載の方法。
【請求項３１】
請求項２５に記載の方法であって、
前記Ｔｙｐｅ２電力ヘッドルームフィールドのためのＴｙｐｅ２電力ヘッドルームレベルを、
ＰＵＣＣＨの求められた電力と、
ＰＵＳＣＨの求められた電力とを用いて求めることと、
前記算出されたＰＵＳＨの電力を用いて、前記タイプ１電力ヘッドルームフィールドのためのタイプ１電力ヘッドルームレベルを求めることと、を更に含む、請求項２５に記載の方法。
【請求項３２】
パスロス基準の信号を測定することによって測定値を取得することを更に含み、前記Ｔｙｐｅ２電力ヘッドルームフィールドのためのＴｙｐｅ２電力ヘッドルームレベルの算出が前記測定値を使用する、請求項２５に記載の方法。
【請求項３３】
前記ＰＨＲ  ＭＡＣ  ＣＥが、基地局により、アップリンクパケットスケジューリング及びアップリンク電力制御のうちの少なくとも一方のために使用される、請求項２５に記載の方法。
【請求項３４】
無線デバイスであって、
１つ以上のプロセッサと、
複数の命令を記憶しているメモリであって、前記複数の命令が、前記１つ以上のプロセッサによって実行された時に、前記無線デバイスに、
一次セル及び１つ以上の二次セルを含む複数のセルの構成パラメータを含む少なくとも１つのメッセージを受信させ、
電力ヘッドルーム（ＰＨＲ）ＭＡＣ  ＣＥを送信させ、前記ＰＨＲ  ＭＡＣ  ＣＥが、
前記１つ以上の二次セルが、アップリンクを有する少なくとも１つのライセンス補助アクセス（ＬＡＡ）セルを含むことと、
前記少なくとも１つのＬＡＡセルが構成及びアクティブ化されていることと、に応答して、前記一次セルのためのＴｙｐｅ２電力ヘッドルームフィールドを含む、メモリと、を備える、無線デバイス。
【請求項３５】
前記ＰＨＲ  ＭＡＣ  ＣＥが、前記一次セルのためのタイプ１電力ヘッドルームフィールドを更に含む、請求項３４に記載の無線デバイス。
【請求項３６】
前記ＰＨＲ  ＭＡＣ  ＣＥが、同時的な物理的アップリンク制御チャネル（ＰＵＣＣＨ）及び物理的アップリンク共有チャネル（ＰＵＳＣＨ）が構成されていることに応答して、前記Ｔｙｐｅ２電力ヘッドルームフィールドを含む、請求項３４に記載の無線デバイス。
【請求項３７】
前記ＰＨＲ  ＭＡＣ  ＣＥが、少なくとも１つの物理的アップリンク制御チャネル（ＰＵＣＣＨ）二次セルを含む前記１つ以上の二次セルが構成及びアクティブ化されていることに応答して、前記Ｔｙｐｅ２電力ヘッドルームフィールドを含む、請求項３４に記載の無線デバイス。
【請求項３８】
前記少なくとも１つのメッセージが、拡張されたＰＨＲが構成されていることを示す少なくとも１つのパラメータを含む、請求項３４に記載の無線デバイス。
【請求項３９】
前記少なくとも１つのメッセージが、同時的なＰＵＣＣＨ伝送及び物理的アップリンク共有チャネル伝送が前記一次セルについて構成されているか否かを示す第１の情報要素を更に含む、請求項３４に記載の無線デバイス。
【請求項４０】
前記１つ以上のプロセッサによって実行された時に、前記無線デバイスに、
前記Ｔｙｐｅ２電力ヘッドルームフィールドのためのＴｙｐｅ２電力ヘッドルームレベルを、
ＰＵＣＣＨの求められた電力と、
ＰＵＳＣＨの求められた電力と、
を用いて求めさせ、前記算出されたＰＵＳＨの電力を用いて、前記タイプ１電力ヘッドルームフィールドのためのタイプ１電力ヘッドルームレベルを求めさせる複数の命令を更に備える、請求項３４に記載の無線デバイス。
【請求項４１】
前記１つ以上のプロセッサによって実行された時に、前記無線デバイスに、パスロス基準の信号を測定することによって測定値を取得させる複数の命令を更に備え、前記Ｔｙｐｅ２電力ヘッドルームフィールドのためのＴｙｐｅ２電力ヘッドルームレベルの算出が、前記測定値を使用する、請求項３４に記載の無線デバイス。
【請求項４２】
前記ＰＨＲ  ＭＡＣ  ＣＥが、基地局により、アップリンクパケットスケジューリング及びアップリンク電力制御のうちの少なくとも一方のために使用される、請求項３４に記載の無線デバイス。
【発明の詳細な説明】
【技術分野】
【０００１】
（関連出願の相互参照）
本出願は、その内容全体が本願中に引用をもって援用された、２０１６年５月２６日出願の米国特許仮出願第６２／３４１，７３２号の利益を主張する。
【図面の簡単な説明】
【０００２】
本開示の様々な実施形態のうちの幾つかの例を、ここに図面を参照しながら記載する。
【０００３】
【図１】本開示の一実施形態の一局面によるＯＦＤＭサブキャリアの例示的なセットを示す図である。
【０００４】
【図２】本開示の一実施形態の一局面によるキャリアグループ内の２つのキャリアに関する例示的な送信時間及び受信時間を示す図である。
【０００５】
【図３】本開示の一実施形態の一局面によるＯＦＤＭ無線リソースを示す例示的な図である。
【０００６】
【図４】本開示の一実施形態の一局面による基地局及び無線デバイスを示す例示的なブロック図である。
【０００７】
【図５Ａ】本開示の一実施形態の一局面によるアップリンク及びダウンリンク信号伝送の例示的な図である。
【図５Ｂ】本開示の一実施形態の一局面によるアップリンク及びダウンリンク信号伝送の例示的な図である。
【図５Ｃ】本開示の一実施形態の一局面によるアップリンク及びダウンリンク信号伝送の例示的な図である。
【図５Ｄ】本開示の一実施形態の一局面によるアップリンク及びダウンリンク信号伝送の例示的な図である。
【０００８】
【図６】本開示の一実施形態の一局面によるＣＡ及びＤＣを用いたプロトコル構成の例示的な図である。
【０００９】
【図７】本開示の一実施形態の一局面によるＣＡ及びＤＣを用いたプロトコル構成の例示的な図である。
【００１０】
【図８】本開示の一実施形態の一局面による例示的なＴＡＧ構造を示している。
【００１１】
【図９】本開示の一実施形態の一局面による二次ＴＡＧにおけるランダムアクセスプロセスの例示的なメッセージフローである。
【００１２】
【図１０】本開示の一実施形態の一局面によるダウンリンクバーストを示す例示的な図である。
【００１３】
【図１１】本開示の一実施形態の一局面による複数のセルを介したアップリンク伝送を示す例示的な図である。
【００１４】
【図１２】本開示の一実施形態の一局面による複数のセルを介したアップリンク伝送を示す例示的な図である。
【００１５】
【図１３】本開示の一実施形態の一局面による複数のセルを介したアップリンク伝送を示す例示的な図である。
【００１６】
【図１４】本開示の一実施形態の一局面による電力ヘッドルーム伝送の例示的なフロー図である。
【００１７】
【図１５】本開示の一実施形態の一局面による電力ヘッドルーム伝送の例示的なフロー図である。
【発明を実施するための形態】
【００１８】
本開示の複数の例示的実施形態が、キャリアアグリゲーションのオペレーションを可能にする。ここに開示する技術の複数の実施形態を、マルチキャリア通信システムの技術分野において採用することが可能である。
【００１９】
本開示を通じ、以下の略称が使用される。
ＡＳＩＣ  特定用途向け集積回路
ＢＰＳＫ  二位相偏移変調
ＣＡ  キャリアアグリゲーション
ＣＳＩ  チャネル状態情報
ＣＤＭＡ  符号分割多重アクセス
ＣＳＳ  共通検索領域
ＣＰＬＤ  複合プログラマブル論理デバイス
ＣＣ  コンポーネントキャリア
ＤＬ  ダウンリンク
ＤＣＩ  ダウンリンク制御情報
ＤＣ  デュアルコネクティビティ
ＥＰＣ  進化型パケットコア
Ｅ−ＵＴＲＡＮ  進化型ユニバーサル地上無線アクセスネットワーク
ＦＰＧＡ  フィールドプログラマブルゲートアレイ
ＦＤＤ  周波数分割多重化
ＨＤＬ  ハードウェア記述言語
ＨＡＲＱ  ハイブリッド自動反復要求
ＩＥ  情報要素
ＬＡＡ  ライセンス補助アクセス
ＬＴＥ  ロングタームエボリューション
ＭＣＧ  マスタセルグループ
ＭｅＮＢ  マスタ進化型ノードＢ
ＭＩＢ  マスタ情報ブロック
ＭＡＣ  媒体アクセス制御
ＭＡＣ  媒体アクセス制御
ＭＭＥ  モビリティ管理エンティティ
ＮＡＳ  非アクセス層
ＯＦＤＭ  直交周波数分割多重化
ＰＤＣＰ  パケットデータ収束プロトコル
ＰＤＵ  パケットデータユニット
ＰＨＹ  物理
ＰＤＣＣＨ  物理ダウンリンク制御チャネル
ＰＨＩＣＨ  物理ＨＡＲＱインジケータチャネル
ＰＵＣＣＨ  物理的アップリンク制御チャネル
ＰＵＳＣＨ  物理的アップリンク共有チャネル
ＰＣｅｌｌ  一次セル
ＰＣｅｌｌ  一次セル
ＰＣＣ  一次コンポーネントキャリア
ＰＳＣｅｌｌ  一次二次セル
ｐＴＡＧ  一次タイミングアドバンスグループ
ＱＡＭ  直交振幅変調
ＱＰＳＫ  直交位相偏移変調
ＲＢＧ  リソースブロックグループ
ＲＬＣ  無線リンク制御
ＲＲＣ  無線リソース制御
ＲＡ  ランダムアクセス
ＲＢ  リソースブロック
ＳＣＣ  二次コンポーネントキャリア
ＳＣｅｌｌ  二次セル
ＳＣｅｌｌ  二次セル
ＳＣＧ  二次セルグループ
ＳｅＮＢ  二次進化型ノードＢ
ｓＴＡＧｓ  二次タイミングアドバンスグループ
ＳＤＵ  サービスデータユニット
Ｓ−ＧＷ  サービングゲートウェイ
ＳＲＢ  信号伝達無線ベアラ
ＳＣ−ＯＦＤＭ  単一キャリア−ＯＦＤＭ
ＳＦＮ  システムフレーム数
ＳＩＢ  システム情報ブロック
ＴＡＩ  追跡エリア識別子
ＴＡＴ  時間整合タイマ
ＴＤＤ  時分割複信
ＴＤＭＡ  時分割多重アクセス
ＴＡ  タイミングアドバンス
ＴＡＧ  タイミングアドバンスグループ
ＴＢ  トランスポートブロック
ＵＬ  アップリンク
ＵＥ  ユーザ機器
ＶＨＤＬ  ＶＨＳＩＣハードウェア記述言語
【００２０】
本発明の例示的実施形態が、種々の物理層変調及び伝送機構を使用して具現化されてもよい。例示的伝送機構として、限定ではないが、ＣＤＭＡ、ＯＦＤＭ、ＴＤＭＡ、ウェーブレット技術、及び／又は同等物が挙げられる。ＴＤＭＡ／ＣＤＭＡ及びＯＦＤＭ／ＣＤＭＡ等のハイブリッド伝送機構もまた、採用されてもよい。種々の変調スキームが、物理層内の信号伝送のために適用されてもよい。変調スキームの例として、限定ではないが、位相、振幅、コード、これらの組み合わせ、及び／又は同等物が挙げられる。例示的な無線伝送方法が、ＢＰＳＫ、ＱＰＳＫ、１６−ＱＡＭ、６４−ＱＡＭ、２５６−ＱＡＭ、及び／又は同等物を使用して、ＱＡＭを具現化してもよい。物理無線伝送が、伝送要件及び無線条件に応じて、変調及びコーディングスキームを動的又は半動的に変化させることによって強化されてもよい。
【００２１】
図１は、本発明の実施形態の一局面による、ＯＦＤＭサブキャリアの例示的セットを描写する略図である。本実施例に図示されるように、図内の矢印が、マルチキャリアＯＦＤＭシステム内のサブキャリアを示してもよい。ＯＦＤＭシステムが、ＯＦＤＭ技術、ＤＦＴＳ−ＯＦＤＭ技術、ＳＣ−ＯＦＤＭ技術、又は同等物等の技術を使用してもよい。例えば、矢印１０１は、サブキャリア伝送情報シンボルを示す。図１は、例証を目的とするものであって、典型的なマルチキャリアＯＦＤＭシステムが、キャリア内により多くのサブキャリアを含んでもよい。例えば、キャリア内のサブキャリアの数が、１０〜１０，０００サブキャリアの範囲内であってもよい。図１は、伝送バンド内の２つのガードバンド１０６及び１０７を示す。図１に図示されるように、ガードバンド１０６は、サブキャリア１０３とサブキャリア１０４との間にある。サブキャリアＡ１０２の例示的セットは、サブキャリア１０３と、サブキャリア１０４とを含む。図１はまた、サブキャリアＢ１０５の例示的セットを図示する。図示されるように、サブキャリアＢ１０５の例示的セット内には、任意の２つのサブキャリアの間にガードバンドが存在しない。マルチキャリアＯＦＤＭ通信システム内のキャリアが、連続的キャリア、非連続的キャリア、又は連続的及び非連続的キャリア両方の組み合わせであってもよい。
【００２２】
図２は、本開示の実施形態の一局面による、２つのキャリアに関する例示的な送信時間及び受信時間を示す図である。マルチキャリアＯＦＤＭ通信システムが、例えば、１〜１０の範囲のキャリアに及ぶ、１つ以上のキャリアを含んでもよい。キャリアＡ２０４及びキャリアＢ２０５が、同一の又は異なるタイミング構造を有してもよい。図２は、２つの同期されたキャリアを示すが、キャリアＡ２０４及びキャリアＢ２０５は、相互に同期されても、又はそうではなくてもよい。ＦＤＤ及びＴＤＤ複信機構が、複数の異なる無線フレーム構造にサポートされてもよい。図２は、例示的ＦＤＤフレームタイミングを示す。ダウンリンク及びアップリンク伝送が、無線フレーム２０１の中に編成されてもよい。本実施例では、無線フレーム持続時間は、１０ミリ秒である。例えば１〜１００ミリ秒の範囲内などの、その他のフレーム持続時間もまた、サポートされてもよい。本実施例では、各１０ミリ秒無線フレーム２０１が、１０個の等しいサイズのサブフレーム２０２に分割されてもよい。０．５ミリ秒、１ミリ秒、２ミリ秒、及び５ミリ秒などの、その他のサブフレーム持続時間もまた、サポートされてもよい。サブフレームが、２つ以上のスロット（例えば、スロット２０６及び２０７）から成ってもよい。ＦＤＤの実施例の場合には、各１０ミリ秒間隔において、１０個のサブフレームが、ダウンリンク伝送のために利用可能であってもよく、１０個のサブフレームが、アップリンク伝送のために利用可能であってもよい。アップリンク及びダウンリンク伝送が、周波数ドメイン内で分離されてもよい。スロットが、複数のＯＦＤＭシンボル２０３を含んでもよい。スロット２０６内のＯＦＤＭシンボル２０３の数が、サイクリックプレフィックス長及びサブキャリア間隔に依存してもよい。
【００２３】
図３は、本開示の実施形態の一局面による、ＯＦＤＭ無線リソースを示す図である。時間３０４及び周波数３０５内のリソースグリッド構造が、図３に図示される。ダウンリンクサブキャリア又はＲＢの数量（本実施例では、６〜１００ＲＢ）が、少なくとも部分的に、セル内で構成されたダウンリンク伝送帯域幅３０６に依存してもよい。最小無線リソースユニットが、リソース要素（例えば、３０１）と呼ばれてもよい。リソース要素が、リソースブロック（例えば、３０２）にグループ化されてもよい。リソースブロックが、リソースブロックグループ（ＲＢＧ）（例えば、３０３）と呼ばれるより大きい無線リソースにグループ化されてもよい。スロット２０６内で伝送される信号が、複数のサブキャリア及び複数のＯＦＤＭシンボルの１つ又はいくつかのリソースグリッドによって記述されてもよい。リソースブロックが、リソース要素へのある物理チャネルのマッピングを記述するために使用されてもよい。物理リソース要素の他の事前に定義されたグループ化も、無線技術に応じて、システム内で行われてもよい。例えば、２４個のサブキャリアが、５ミリ秒の持続時間の間、無線ブロックとしてグループ化されてもよい。例示的な一実施例においては、リソースブロックが、（１５ＫＨｚサブキャリア帯域幅及び１２個のサブキャリアに関して）時間ドメイン内の１つのスロット及び周波数ドメイン内の１８０ｋＨｚに対応してもよい。
【００２４】
図５Ａ、図５Ｂ、図５Ｃ、及び図５Ｄは、本開示の実施形態の一局面による、アップリンク及びダウンリンク信号伝送のための例示的な図である。図５Ａは、例示的なアップリンク物理チャネルを示す。物理的アップリンク共有チャネルを表すベースバンド信号が、以下のプロセスを実行してもよい。これらの機能は、例として挙げられたものであり、その他の機構が種々の実施形態で具現化可能であることが想定される。そのような機能が、スクランブリング、複素数値シンボルを生成するためのスクランブリングされたビットの変調、１つ又はいくつかの伝送層上への複素数値変調シンボルのマッピング、複素数値シンボルを生成するための変換プリコーディング、複素数値シンボルのプリコーディング、リソース要素へのプリコーディングされた複素数値シンボルのマッピング、アンテナポート毎の複素数値時間ドメインＤＦＴＳ−ＯＦＤＭ／ＳＣ−ＦＤＭＡ信号の生成、及び／又は同等物を含んでもよい。
【００２５】
アンテナポート毎の複素数値ＤＦＴＳ−ＯＦＤＭ／ＳＣ−ＦＤＭＡベースバンド信号及び／又は複素数値ＰＲＡＣＨベースバンド信号のキャリア周波数への例示的な変調及び上方変換が、図５Ｂに示される。フィルタリングが、伝送に先立って用いられてもよい。
【００２６】
ダウンリンク伝送のための例示的構造が、図５Ｃに示される。ダウンリンク物理チャネルを表すベースバンド信号が、以下のプロセスを実行してもよい。これらの機能は、例として挙げられたものであり、その他の機構が種々の実施形態で具現化可能であることが想定される。そのような機能が、物理チャネル上で伝送されるべきコードワードのそれぞれの中にコード化されたビットのスクランブリング、複素数値変調シンボルを生成するためのスクランブリングされたビットの変調、１つ又はいくつかの伝送層上への複素数値変調シンボルのマッピング、アンテナポート上での伝送のための各層上での複素数値変調シンボルのプリコーディング、リソース要素へのアンテナポート毎の複素数値変調シンボルのマッピング、アンテナポート毎の複素数値時間ドメインＯＦＤＭ信号の生成、及び／又は同等物を含んでもよい。
【００２７】
アンテナポート毎の複素数値ＯＦＤＭベースバンド信号のキャリア周波数への例示的な変調及び上方変換が、図５Ｄに示される。フィルタリングが、伝送に先立って用いられてもよい。
【００２８】
図４は、本開示の実施形態の一局面による、基地局４０１及び無線デバイス４０６の例示的ブロック図である。通信ネットワーク４００が、少なくとも１つの基地局４０１と、少なくとも１つの無線デバイス４０６とを含んでもよい。基地局４０１が、少なくとも１つの通信インターフェース４０２と、少なくとも１つのプロセッサ４０３と、非一時的メモリ４０４内に記憶され、少なくとも１つのプロセッサ４０３によって実行可能な少なくとも１セットのプログラムコード命令４０５とを含んでもよい。無線デバイス４０６が、少なくとも１つの通信インターフェース４０７と、少なくとも１つのプロセッサ４０８と、非一時的メモリ４０９内に記憶され、少なくとも１つのプロセッサ４０８によって実行可能な少なくとも１セットのプログラムコード命令４１０とを含んでもよい。基地局４０１内の通信インターフェース４０２が、少なくとも１つの無線リンク４１１を含む通信経路を介して、無線デバイス４０６内の通信インターフェース４０７との通信を行うように構成されていてもよい。無線リンク４１１が、双方向リンクであってもよい。無線デバイス４０６内の通信インターフェース４０７もまた、基地局４０１内の通信インターフェース４０２との通信を行うように構成されていてもよい。基地局４０１及び無線デバイス４０６が、複数の周波数キャリアを使用し、無線リンク４１１を経由して、データを送受信するように構成されていてもよい。幾つかの実施形態の複数の局面によると、送受信機が採用されてもよい。送受信機は、送信機及び受信機の両方を有するデバイスである。送受信機が、無線デバイス、基地局、中継ノード、及び／又は同等物等のデバイス内で使用されてもよい。通信インターフェース４０２、４０７及び無線リンク４１１内で実装される無線技術のための例示的実施形態が、図１、図２、図３、図５、及びこれらに記入されている文字によって示されている。
【００２９】
インターフェースが、ハードウェアインターフェース、ファームウェアインターフェース、ソフトウェアインターフェース、及び／又はそれらの組み合わせであってもよい。ハードウェアインターフェースが、コネクタ、ワイヤ、ドライバ等の電子デバイス、増幅器、及び／又は同等物を含んでもよい。ソフトウェアインターフェースが、メモリデバイス内に記憶され、プロトコル、プロトコル層、通信ドライバ、デバイスドライバ、それらの組み合わせ、及び／又は同等物を具現化するコードを含んでもよい。ファームウェアインターフェースが、組込み型ハードウェアと、メモリデバイス内に記憶され、及び／又はこれと通信し、接続、電子デバイス動作、プロトコル、プロトコル層、通信ドライバ、デバイスドライバ、ハードウェア動作、これらの組み合わせ、及び／又は同等物を具現化するコードの組み合わせを含んでもよい。
【００３０】
用語「構成される」は、デバイスが動作状態にあるか、又は非動作状態にあるかどうかに関わらず、デバイスの能力に関連していてもよい。「構成される」はまた、デバイスが動作状態にあるか、又は非動作状態にあるかどうかに関わらず、デバイスの動作特性をもたらす、デバイス内の具体的設定を指していてもよい。言い換えると、ハードウェア、ソフトウェア、ファームウェア、レジスタ、メモリ値、及び／又は同等物は、デバイスが動作状態にあるか、又は非動作状態にあるかどうかに関わらず、デバイスに具体的特性を付与するようにデバイス内で「構成」されていてもよい。「デバイス内で生じさせるための制御メッセージ」等の用語が、デバイスが動作状態にあるか、又は非動作状態にあるかどうかに関わらず、デバイス内の具体的特性を構成するために使用可能なパラメータを制御メッセージが有することを意味してもよい。
【００３１】
実施形態の種々の局面によると、ＬＴＥネットワークが多数の基地局を含み、ユーザプレーンＰＤＣＰ／ＲＬＣ／ＭＡＣ／ＰＨＹ及び制御プレーン（ＲＲＣ）プロトコル終端を無線デバイスに向かって提供してもよい。基地局が、（例えば相互接続されたＸ２インターフェースを用いて）他の基地局と相互接続されてもよい。基地局が、例えば、Ｓ１インターフェースを用いてＥＰＣに接続されてもよい。例えば、基地局が、Ｓ１−ＭＭＥインターフェースを用いてＭＭＥと、Ｓ１−Ｕインターフェースを用いてＳ−Ｇ）と相互接続されてもよい。Ｓ１インターフェースが、ＭＭＥ／サービングゲートウェイと基地局との間の多対多関係をサポートしてもよい。基地局が、多くのセクタ、例えば、１、２、３、４、又は６つのセクタを含んでもよい。基地局が、多くのセル、例えば、１〜５０以上のセルを含んでもよい。セルが、例えば、一次セル又は二次セルとしてカテゴリ化されてもよい。ＲＲＣ接続確立／再確立／ハンドオーバでは、１つのサービングセルが、ＮＡＳ（非アクセス層）モビリティ情報（例えば、ＴＡＩ）を提供してもよく、ＲＲＣ接続再確立／ハンドオーバでは、１つのサービングセルが、セキュリティ入力を提供してもよい。このセルが、一次セル（ＰＣｅｌｌ）と称されてもよい。ＰＣｅｌｌに対応するキャリアが、ダウンリンクでは、ダウンリンク一次コンポーネントキャリア（ＤＬＰＣＣ）であってもよく、一方、アップリンクでは、アップリンク一次コンポーネントキャリア（ＵＬＰＣＣ）であってもよい。無線デバイス能力に応じて、二次セル（ＳＣｅｌｌ）が、ＰＣｅｌｌと共にサービングセルのセットを形成するように構成されてもよい。ＳＣｅｌｌに対応するキャリアは、ダウンリンクでは、ダウンリンク二次コンポーネントキャリア（ＤＬ  ＳＣＣ）であってもよく、一方、アップリンクでは、アップリンク二次コンポーネントキャリア（ＵＬ  ＳＣＣ）であってもよい。ＳＣｅｌｌは、アップリンクキャリアを有してもよいが、有していなくてもよい。
【００３２】
ダウンリンクキャリアと、任意にアップリンクキャリアとを含むセルに、物理セルＩＤ及びセルインデックスが割り当てられてもよい。キャリア（ダウンリンク又はアップリンク）が、１つのセルのみに属してもよい。セルＩＤ又はセルインデックスが、（使用状況に応じて）セルのダウンリンクキャリア又はアップリンクキャリアを識別してもよい。本明細書では、セルＩＤがキャリアＩＤとも称されてもよく、セルインデックスがキャリアインデックスと称されてもよい。実装では、物理セルＩＤ又はセルインデックスがセルに割り当てられてもよい。セルＩＤが、ダウンリンクキャリア上で伝送される同期信号を使用して判定されてもよい。セルインデックスが、ＲＲＣメッセージを使用して判定されてもよい。例えば、本明細書が、第１のダウンリンクキャリアに関して第１の物理セルＩＤに言及している場合に、第１の物理セルＩＤが第１のダウンリンクキャリアを含むセルのＩＤであることを本明細書が意味してもよい。同じ概念が、例えば、キャリアアクティブ化に当てはまってもよい。本明細書が、第１のキャリアがアクティブ化されることを示す場合に、第１のキャリアを含むセルがアクティブ化されることを本明細書が意味してもよい。
【００３３】
実施形態が、必要に応じて動作するように構成されていてもよい。本開示の機構が、例えば無線デバイス、基地局、無線環境、ネットワーク、これらの組み合わせ、及び／又は同等物において所定の基準が満たされている場合に実行されてもよい。例示的な基準が、例えばトラフィック負荷、初期システム設定、パケットサイズ、トラフィック特性、これらの組み合わせ、及び／又は同等物に少なくとも部分的に基づいていてもよい。これらの１つ以上の基準が満たされている場合に、種々の例示的実施形態が実施されてもよい。したがって、本開示のプロトコルを選択的に実行する例示的実施形態を実施することが可能であってもよい。
【００３４】
基地局が、複数の無線デバイスからなる組み合わせと通信してもよい。無線デバイスが、複数の技術及び／又は同一技術の複数のリリースをサポートしてもよい。無線デバイスが、その無線デバイスカテゴリ及び／又は能力に応じて、いくつかの具体的能力を有してもよい。基地局が、複数のセクタを含んでもよい。本開示が、複数の無線デバイスと通信する基地局を対象とする場合に、本開示がカバレッジ領域内の全ての無線デバイスのうちの一サブセットを対象としてもよい。本開示が、例えば、所与の能力を有し、基地局の所与のセクタ内にある、所与のＬＴＥリリースの複数の無線デバイスを対象としてもよい。本開示における複数の無線デバイスが、選択された複数の無線デバイス、及び／又は開示される方法に従って機能する、カバレッジ領域内の全ての無線デバイスのうちの一サブセット、及び／又は同等物を指してもよい。カバレッジ領域内に、例えばＬＴＥ技術のより古いリリースに基づいて稼働するために本開示の方法に対応することのできない、複数の無線デバイスが存在してもよい。
【００３５】
図６及び図７は、本発明の実施形態の一局面による、ＣＡ及びＤＣを用いたプロトコル構造の例示的な図である。Ｅ−ＵＴＲＡＮが、デュアルコネクティビティ（ＤＣ）動作をサポートしてもよく、それによって、ＲＲＣ＿ＣＯＮＮＥＣＴＥＤ内の複数のＲＸ／ＴＸ  ＵＥが、Ｘ２インターフェースを経由して非理想的バックホールを介して接続される２つのｅＮＢ内に位置する２つのスケジューラによって提供される、無線リソースを利用するように構成されていてもよい。あるＵＥのためのＤＣに関わるｅＮＢが、２つの異なる役割を担ってもよい。すなわち、ｅＮＢが、ＭｅＮＢ又はＳｅＮＢのいずれかとしての機能を果たしてもよい。ＤＣにおいて、ＵＥが１つのＭｅＮＢ及び１つのＳｅＮＢに接続されてもよい。ＤＣにおいて実装される機構が、２つ以上のｅＮＢを網羅するように拡張されてもよい。図７は、マスタセルグループ（ＭＣＧ）及び二次セルグループ（ＳＣＧ）が構成される場合のＵＥ側ＭＡＣエンティティの例示的な一構造を図示しているが、これが実装を制限するものでなくてもよい。媒体ブロードキャストマルチキャストサービス（ＭＢＭＳ）受信は、便宜上、本図には示されない。
【００３６】
ＤＣでは、特定のベアラが使用する無線プロトコルアーキテクチャが、ベアラが設定される方法に依存していてもよい。図６に示されるように、ＭＣＧベアラ、ＳＣＧベアラ、及び分割ベアラの３つの選択肢が存在してもよい。ＲＲＣがＭｅＮＢ内に位置してもよく、ＳＲＢがＭＣＧベアラタイプとして構成されてもよく、ＭｅＮＢの無線リソースを使用してもよい。ＤＣが、ＳｅＮＢによって提供される無線リソースを使用するように構成された少なくとも１つのベアラを有するものとして説明されてもよい。ＤＣが、本発明の例示的実施形態において構成／実装されてもよいが、そうでなくてもよい。
【００３７】
ＤＣの場合に、ＵＥが、２つのＭＡＣエンティティ、すなわち、ＭｅＮＢのための１つのＭＡＣエンティティと、ＳｅＮＢのための１つのＭＡＣエンティティとを用いて構成されてもよい。ＤＣにおいては、ＵＥのためのサービングセルの構成されたセットが、２つのサブセット、すなわち、ＭｅＮＢのサービングセルを含むマスタセルグループ（ＭＣＧ）と、ＳｅＮＢのサービングセルを含む二次セルグループ（ＳＣＧ）とを含んでもよい。ＳＣＧに関して、以下のうちの１つ以上が該当してもよい。すなわち、ＳＣＧ内の少なくとも１つのセルが、構成されたＵＬ  ＣＣを有し、ＰＳＣｅｌｌと称される（又はＳＣＧのＰＣｅｌｌもしくはＰＣｅｌｌとも呼ばれる）それらのうちの１つが、ＰＵＣＣＨリソースを用いて構成されてもよい。ＳＣＧが構成される場合に、少なくとも１つのＳＣＧベアラ又は１つの分割ベアラが存在してもよい。ＰＳＣｅｌｌ上の物理層に関する問題もしくはランダムアクセスに関する問題が検出された場合、又はＳＣＧと関連付けられたＲＬＣ再伝送が最大数に達した場合、又はＳＣＧ追加又はＳＣＧ変更の間にＰＳＣｅｌｌ上のアクセスに関する問題が検出された場合に、ＲＲＣ接続再確立プロシージャがトリガされず、ＳＣＧのセルに向かうＵＬ伝送が停止され、ＵＥによってＭｅＮＢにＳＣＧ障害の種類が知らされてもよい。分割ベアラに関しては、ＭｅＮＢを経由したＤＬデータ転送が維持されてもよい。ＲＬＣ  ＡＭベアラが、分割ベアラ向けに構成されてもよい。ＰＣｅｌｌと同様に、ＰＳＣｅｌｌが非アクティブ化されなくてもよい。ＰＳＣｅｌｌが、（例えばセキュリティキー変更及びＲＡＣＨプロシージャなどの）ＳＣＧ変更に伴って変更されてもよく、及び／又は分割ベアラとＳＣＧベアラとの間の直接ベアラタイプ変更もしくはＳＣＧ及び分割ベアラの同時構成のいずれもがサポートされなくてもよい。
【００３８】
ＭｅＮＢとＳｅＮＢとの間の相互作用に関して、以下の原理のうちの１つ以上が該当してもよい。すなわち、ＭｅＮＢが、ＵＥのＲＲＭ測定構成を維持してもよく、また（例えば、受信された測定報告又はトラフィック条件又はベアラタイプに基づいて）ＳｅＮＢに対してＵＥのための更なるリソース（サービングセル）を提供するように求めることを決定してもよい。ＭｅＮＢからの要求の受信に応じて、ＳｅＮＢが、ＵＥのための更なるサービングセルの構成をもたらし得るコンテナを作成してもよい（又はそのために利用可能なリソースを有していないと判定してもよい）。ＵＥ能力の調整のために、ＭｅＮＢが、ＡＳ構成及びＵＥ能力（の一部）をＳｅＮＢに提供してもよい。ＭｅＮＢ及びＳｅＮＢが、Ｘ２メッセージとして搬送されるＲＲＣコンテナ（ノード間メッセージ）を採用することによって、ＵＥ構成についての情報を交換してもよい。ＳｅＮＢが、（例えば、ＳｅＮＢに向かうＰＵＣＣＨなどの）その既存のサービングセルの再構成を開始してもよい。ＳｅＮＢが、ＳＣＧ内のどのセルがＰＳＣｅｌｌであるのかを決定してもよい。ＭｅＮＢが、ＳｅＮＢによって提供されるＲＲＣ構成の内容を変更しなくてもよい。ＳＣＧ追加及びＳＣＧ  ＳＣｅｌｌ追加の場合、ＭｅＮＢが、ＳＣＧセルのために最新の測定結果を提供してもよい。（例えば、測定ギャップのＤＲＸ整合及び識別の目的のために）ＭｅＮＢ及びＳｅＮＢの双方が、ＯＡＭによって相互のＳＦＮ及びサブフレームオフセットを把握してもよい。一実施例においては、新たなＳＣＧ  ＳＣｅｌｌを追加する場合に、ＳＣＧのＰＳＣｅｌｌのＭＩＢから取得されたＳＦＮを除き、ＣＡに関するセルの要求されるシステム情報を送信するために、専用のＲＲＣシグナリングが使用されてもよい。
【００３９】
一実施例においては、サービングセルが、ＴＡグループ（ＴＡＧ）内でグループ化されてもよい。１つのＴＡＧ内のサービングセルが、同一タイミング基準を使用してもよい。所与のＴＡＧに関して、ユーザ機器（ＵＥ）が少なくとも１つのダウンリンクキャリアをタイミング基準として使用してもよい。所与のＴＡＧに関して、ＵＥが、同一ＴＡＧに属するアップリンクキャリアのアップリンクサブフレーム及びフレーム伝送タイミングを同期させてもよい。一実施例においては、同一のＴＡが適用されるアップリンクを有するサービングセルが、同一の受信機によってホストされるサービングセルに対応していてもよい。複数のＴＡをサポートするＵＥが、２つ以上のＴＡグループをサポートしてもよい。１つのＴＡグループがＰＣｅｌｌを含み、一次ＴＡＧ（ｐＴＡＧ）と呼ばれてもよい。多重ＴＡＧ構成においては、少なくとも１つのＴＡグループが、ＰＣｅｌｌを含まず、二次ＴＡＧ（ｓＴＡＧ）と呼ばれてもよい。一実施例においては、同一ＴＡグループ内のキャリアが、同一のＴＡ値及び／又は同一のタイミング基準を使用してもよい。ＤＣが構成される場合に、（ＭＣＧ又はＳＣＧ）セルグループに属するセルが、ｐＴＡＧ及び１つ以上のｓＴＡＧを含む複数のＴＡＧにグループ化されてもよい。
【００４０】
図８は、本開示の実施形態の一局面による例示的なＴＡＧ構成を示す。実施例１では、ｐＴＡＧは、ＰＣｅｌｌを含み、ｓＴＡＧは、ＳＣｅｌｌ１を含む。実施例２では、ｐＴＡＧは、ＰＣｅｌｌ及びＳＣｅｌｌ１を含み、ｓＴＡＧは、ＳＣｅｌｌ２及びＳＣｅｌｌ３を含む。実施例３では、ｐＴＡＧは、ＰＣｅｌｌ及びＳＣｅｌｌ１を含み、ｓＴＡＧ１は、ＳＣｅｌｌ２及びＳＣｅｌｌ３を含み、ｓＴＡＧ２は、ＳＣｅｌｌ４を含む。最大４つのＴＡＧが、セルグループ（ＭＣＧ又はＳＣＧ）内でサポートされてもよく、他の例示的ＴＡＧ構成もまた、提供されてもよい。本開示における種々の実施例では、複数の例示的機構が、ｐＴＡＧ及びｓＴＡＧに関して説明される。幾つかの例示的機構が、複数のｓＴＡＧを伴う構成に適用されてもよい。
【００４１】
一実施例においては、ｅＮＢが、アクティブ化されるＳＣｅｌｌに関するＰＤＣＣＨ順序を介して、ＲＡプロシージャを開始してもよい。このＰＤＣＣＨ順序が、このＳＣｅｌｌのスケジューリングセル上で送信されてもよい。あるセルについてクロスキャリアスケジューリングが構成される場合に、このスケジューリングセルが、プリアンブル伝送のために採用されるセルと異なってもよく、ＰＤＣＣＨ順序が、ＳＣｅｌｌインデックスを含んでもよい。少なくとも非競合ベースのＲＡプロシージャが、ｓＴＡＧに割り当てられるＳＣｅｌｌのためにサポートされてもよい。
【００４２】
図９は、本発明の一実施形態の一局面による、二次ＴＡＧ内のランダムアクセスプロセスにおける例示的メッセージフローである。ｅＮＢは、アクティブ化コマンド６００を伝送し、ＳＣｅｌｌをアクティブ化する。プリアンブル６０２（Ｍｓｇ１）が、ｓＴＡＧに属するＳＣｅｌｌ上のＰＤＣＣＨ順序６０１に応答して、ＵＥによって送信されてもよい。例示的な一実施形態では、ＳＣｅｌｌに関するプリアンブル伝送が、ＰＤＣＣＨフォーマット１Ａを使用して、ネットワークによって制御されてもよい。ＳＣｅｌｌ上のプリアンブル伝送に応答したＭｓｇ２メッセージ６０３（ＲＡＲ：ランダムアクセス応答）が、ＰＣｅｌｌ共通検索空間（ＣＳＳ）内のＲＡ−ＲＮＴＩにアドレス指定されてもよい。アップリンクパケット６０４が、プリアンブルが伝送されたＳＣｅｌｌ上で伝送されてもよい。
【００４３】
一実施例によると、初期タイミング整合が、ランダムアクセスプロシージャを通して達成されてもよい。このことが、ＵＥがランダムアクセスプリアンブルを伝送し、ｅＮＢがランダムアクセス応答ウィンドウ内で初期ＴＡコマンドＮＴＡ（タイミングアドバンスの量）に応答することを伴ってもよい。ＮＴＡ＝０であるＵＥでは、ランダムアクセスプリアンブルの開始が、対応するアップリンクサブフレームの開始と整合されてもよい。ｅＮＢが、ＵＥによって伝送されるランダムアクセスプリアンブルからアップリンクタイミングを推定してもよい。ＴＡコマンドが、所望のＵＬタイミングと実際のＵＬタイミングとの差異の推定に基づいて、ｅＮＢによって導出されてもよい。ＵＥが、プリアンブルが伝送されるｓＴＡＧの対応するダウンリンクに対して初期アップリンク伝送タイミングを判定してもよい。
【００４４】
ＴＡＧへのサービングセルのマッピングが、サービングｅＮＢによって、ＲＲＣ信号伝達を用いて構成されてもよい。ＴＡＧ構成及び再構成のための機構が、ＲＲＣ信号伝達に基づいてもよい。一実施形態の種々の局面によれば、ｅＮＢがＳＣｅｌｌ追加構成を行うとき、関連するＴＡＧ構成が、ＳＣｅｌｌのために構成されてもよい。例示的な一実施形態では、ｅＮＢが、ＳＣｅｌｌを除去（リリース）し、更新されたＴＡＧ  ＩＤを用いて（同一物理セルＩＤ及び周波数を有する）新しいＳＣｅｌｌを追加（構成）することによって、ＳＣｅｌｌのＴＡＧ構成を修正してもよい。更新されたＴＡＧ  ＩＤを有する新たなＳＣｅｌｌが、更新されたＴＡＧ  ＩＤが割り当てられた当初は非アクティブであってもよい。ｅＮＢが、更新された新しいＳＣｅｌｌをアクティブ化し、アクティブ化されたＳＣｅｌｌ上でスケジューリングパケットを始動させてもよい。例示的な一実施形態においては、ＳＣｅｌｌと関連付けられたＴＡＧが変更不可能であり、ＳＣｅｌｌが除去される必要があり、新しいＳＣｅｌｌに別のＴＡＧを追加する必要があってもよい。例えば、ＳＣｅｌｌをｓＴＡＧからｐＴＡＧに移動させる必要がある場合、（少なくとも１つのＲＲＣ再構成メッセージなどの）少なくとも１つのＲＲＣメッセージがＵＥに送信され、ＳＣｅｌｌをリリースすることによってＴＡＧ構成を再構成した後に、ＳＣｅｌｌをｐＴＡＧの一部として構成してもよい。ＳＣｅｌｌが、ＴＡＧインデックスを伴わずに追加／構成される場合には、ＳＣｅｌｌが、ｐＴＡＧに明示的に割り当てられてもよい。ＰＣｅｌｌが、そのＴＡグループを変更せず、ｐＴＡＧのメンバであってもよい。
【００４５】
ＲＲＣ接続再構成プロシージャの目的が、ＲＲＣ接続を修正する（例えば、ＲＢを確立、修正、及び／又はリリースする、ハンドオーバを行う、測定を設定、修正、及び／又はリリースする、ＳＣｅｌｌを追加、修正、及び／又はリリースする）ことであってもよい。受信されたＲＲＣ接続再構成メッセージが、ｓＣｅｌｌＴｏＲｅｌｅａｓｅＬｉｓｔを含む場合、ＵＥが、ＳＣｅｌｌリリースを行ってもよい。受信されたＲＲＣ接続再構成メッセージが、ｓＣｅｌｌＴｏＡｄｄＭｏｄＬｉｓｔを含む場合、ＵＥが、ＳＣｅｌｌ追加又は修正を行ってもよい。
【００４６】
ＬＴＥリリース−１０及びリリース−１１ＣＡでは、ＰＵＣＣＨが、ＰＣｅｌｌ（ＰＳＣｅｌｌ）上でのみｅＮＢに伝送されてもよい。ＬＴＥ−リリース１２及びそれ以前では、ＵＥが、ＰＵＣＣＨ情報を１つのセル（ＰＣｅｌｌ又はＰＳＣｅｌｌ）上で所与のｅＮＢに伝送してもよい。
【００４７】
ＣＡ対応ＵＥの数、また、アグリゲーションされたキャリアの数が増加するにつれて、ＰＵＣＣＨの数、また、ＰＵＣＣＨペイロードサイズも、増加してもよい。ＰＣｅｌｌ上のＰＵＣＣＨ伝送への対応が、ＰＣｅｌｌ上の高ＰＵＣＣＨ負荷につながってもよい。ＳＣｅｌｌ上のＰＵＣＣＨが、ＰＵＣＣＨリソースをＰＣｅｌｌからオフロードするために導入されてもよい。１つ以上のＰＵＣＣＨ、例えば、ＰＣｅｌｌ上のＰＵＣＣＨ及びＳＣｅｌｌ上の別のＰＵＣＣＨが、構成されてもよい。例示的実施形態では、１つ、２つ、又はそれ以上のセルが、ＣＳＩ／ＡＣＫ／ＮＡＣＫを基地局に伝送するために、ＰＵＣＣＨリソースを用いて構成されてもよい。セルが、複数のＰＵＣＣＨグループにグループ化されてもよく、グループ内の１つ以上のセルが、ＰＵＣＣＨを用いて構成されてもよい。例示的構成では、１つのＳＣｅｌｌが、１つのＰＵＣＣＨグループに属してもよい。構成されたＰＵＣＣＨが基地局に伝送されるＳＣｅｌｌが、ＰＵＣＣＨ  ＳＣｅｌｌと呼ばれてもよく、共通のＰＵＣＣＨリソースが同一の基地局に伝送されるセルグループが、ＰＵＣＣＨグループと呼ばれてもよい。
【００４８】
例示的実施形態では、ＭＡＣエンティティが、ＴＡＧ毎に構成可能なタイマｔｉｍｅＡｌｉｇｎｍｅｎｔＴｉｍｅｒを有してもよい。アップリンク時間整合されるべき関連付けられたＴＡＧに属するサービングセルをＭＡＣエンティティが考慮する時間の長さを制御するために、ｔｉｍｅＡｌｉｇｎｍｅｎｔＴｉｍｅｒが使用されてもよい。タイミングアドバンスコマンドＭＡＣ制御要素が受信されると、ＭＡＣエンティティが、示されるＴＡＧにタイミングアドバンスコマンドを適用し、示されるＴＡＧと関連付けられたｔｉｍｅＡｌｉｇｎｍｅｎｔＴｉｍｅｒを始動又は再始動させてもよい。タイミングアドバンスコマンドが、ＴＡＧに属するサービングセルのためのランダムアクセス応答メッセージ内で受信されたとき、及び／又はランダムアクセスプリアンブルが、ＭＡＣエンティティによって選択されなかった場合に、ＭＡＣエンティティが、このＴＡＧにタイミングアドバンスコマンドを適用し、このＴＡＧと関連付けられたｔｉｍｅＡｌｉｇｎｍｅｎｔＴｉｍｅｒを始動又は再始動させてもよい。一方、このＴＡＧと関連付けられたｔｉｍｅＡｌｉｇｎｍｅｎｔＴｉｍｅｒが起動中ではない場合には、このＴＡＧにタイミングアドバンスコマンドが適用され、このＴＡＧと関連付けられたｔｉｍｅＡｌｉｇｎｍｅｎｔＴｉｍｅｒが始動されてもよい。競合解決が成功ではないと見なされる場合には、このＴＡＧと関連付けられたｔｉｍｅＡｌｉｇｎｍｅｎｔＴｉｍｅｒが停止されてもよい。そうでなければ、ＭＡＣエンティティが、受信されたタイミングアドバンスコマンドを無視してもよい。
【００４９】
例示的実施形態では、タイマは、いったん始動されると、停止又は満了するまで、起動中である。そうでなければ、起動していなくてもよい。タイマは、起動中ではない場合に始動可能であり、又は、起動中である場合に再始動可能である。例えば、タイマがその初期値から始動又は再始動されてもよい。
【００５０】
本開示の例示的実施形態が、マルチキャリア通信を実行可能としてもよい。別の例示的実施形態が、１つ以上のプロセッサによって実行されてマルチキャリア通信を実行させる複数の命令を備える、非一時的な有形のコンピュータ可読媒体を備えてもよい。更に別の例示的実施形態が、プログラマブルハードウェアが（無線通信機、ＵＥ、基地局などの）デバイスにマルチキャリア通信を行わせることを可能にする複数の命令がコード化されている非一時的な有形のコンピュータ可読機械アクセス可能媒体を備える製品を含んでもよい。当該デバイスが、プロセッサ、メモリ、インターフェース及び／又は同等物を含んでもよい。別の例示的実施形態が、基地局、無線デバイス（又はユーザ機器：ＵＥ）、サーバ、スイッチ、アンテナ及び／又は同等物などのデバイスを備える通信ネットワークを含んでもよい。
【００５１】
セルラ通信ネットワークを介して伝送されるデータトラフィックの量は、今後増加することが予想される。ユーザ／デバイスの数は増加しており、各ユーザ／デバイスがアクセスする、例えばビデオ配信、大容量ファイル、画像などの様々なサービスの数及び多様性も増大している。このことが、高いネットワーク容量だけではなく、顧客の対話性及び応答性に対する期待に応えるための非常に高いデータレートを必要とする場合がある。したがって、増大する需要に応えるためのより大きな周波数帯域を、セルラ通信事業者が必要とする場合がある。高いデータレート及びシームレスなモビリティに対するユーザの期待を考慮すると、セルラ通信システム用のマクロセル及び小型セルを展開するためには、より大きな周波数帯域を利用できることが有利であろう。
【００５２】
市場の需要に応えるために、アンライセンストバンドを利用して何らかの補完的なアクセスを展開することによるトラフィック増大への対応への事業者の関心が高まっている。このことは、数多くの事業者展開のＷｉ−Ｆｉネットワーク及びＬＴＥ／ＷＬＡＮインタワーキングソリューションの３ＧＰＰ標準化によって例証される。このような関心は、アンライセンストバンドが存在する場合に、これが、例えばホットスポットエリアなどの何らかの状況において、ライセンストバンドを有効に補完し、トラフィックの急激な増加にセルラ通信事業者が対処する一助となりうることを示している。ＬＡＡが、無線ネットワークを運用しながらアンライセンストバンドを利用する選択肢を事業者に提示することで、ネットワークを最大限に効率化する新たな可能性を提供してもよい。
【００５３】
例示的な一実施形態において、Ｌｉｓｔｅｎ−ｂｅｆｏｒｅ−ｔａｌｋ（空きチャネル判定）が、ＬＡＡセル内での伝送のために実施されてもよい。Ｌｉｓｔｅｎ−ｂｅｆｏｒｅ−ｔａｌｋ（ＬＢＴ）プロシージャにおいて、機器が、当該チャネルの使用の前に空きチャネル判定（ＣＣＡ）を実施してもよい。例えば、ＣＣＡが、チャネルが空いているか否かを調べるために、少なくともエネルギ検出を利用して、チャネル上における他の信号の存在の有無を判定してもよい。例えば、欧州及び日本の規定は、アンライセンストバンドにおけるＬＢＴの使用を許可している。法的な要件とは無関係に、ＬＢＴによるキャリア感知が、アンライセンストバンドを公平に共用するための一つの方法であってもよい。
【００５４】
例示的実施形態において、最大伝送時間が制限されているアンライセンストキャリア上での不連続的な伝送が可能とされてもよい。これらの機能の幾つかが、不連続的なＬＡＡダウンリンク伝送の最初から伝送される１つ以上の信号によってサポートされてもよい。ＬＡＡノードが、ＬＢＴの成功によってチャネルアクセスを取得した後に、信号を伝送し、所定のしきい値を上回るエネルギを有する伝送された信号を受信したその他のノードが、占有対象のチャネルを感知することによって、チャネル予約が可能となってもよい。不連続なダウンリンク伝送を伴うＬＡＡ動作のための、１つ以上の信号によるサポートが必要な場合のある機能が、ＵＥによる（セル識別を含む）ＬＡＡダウンリンク伝送の検出、ＵＥの時間及び周波数同期化及び／又は同等物のうちの１つ以上を含んでもよい。
【００５５】
例示的な一実施形態では、ＤＬ  ＬＡＡデザインが、ＣＡによってアグリゲートされたサービングセル間のＬＴＥ−Ａキャリアアグリゲーションタイミング関係に基づくサブフレームバウンダリアライメントを用いてもよい。このことが、ｅＮＢ伝送がサブフレームバウンダリのみで開始可能であることを意味しなくてもよい。ＬＢＴに基づくサブフレーム内の伝送のために全てのＯＦＤＭシンボルを利用可能ではない場合に、ＬＡＡがＰＤＳＣＨの伝送をサポートしてもよい。ＰＤＳＣＨのための必要な制御情報の供給も、サポートされてもよい。
【００５６】
ＬＡＡと、他のアンライセンストバンドで運用中の事業者及び技術との公平で友好的な共存のために、ＬＢＴプロシージャが採用されてもよい。アンライセンストバンド内のキャリア上で伝送を試みているノード上でのＬＢＴプロシージャが、ノードが使用可能であるか否かを判定するための空きチャネル判定の実行をノードに要求してもよい。ＬＢＴプロシージャが、チャネルが使用中であるか否かを判定するために、少なくともエネルギ検出を含んでもよい。例えば、欧州などの何らかの地域における法的要件が、一定のエネルギ検出しきい値を定め、このしきい値を上回るエネルギをノードが受信すると、ノードがチャネルを空いていないものとしてみなしてもよい。ノードがこのような法的要件に従ってもよいが、法的要件が定めるよりも低いエネルギ検出しきい値をノードが任意に使用してもよい。一実施例においては、ＬＡＡがエネルギ検出しきい値を適応的に変更する機構を用いてもよい。例えば、ＬＡＡがエネルギ検出しきい値を上限から適応的に減少させる機構を用いてもよい。適応機構が、しきい値の静的な又は準静的な設定を排除しなくてもよい。一実施例においては、カテゴリ４のＬＢＴ機構又はその他の種類のＬＢＴ機構が実装されてもよい。
【００５７】
様々な例示的なＬＢＴ機構が実装されてもよい。一実施例においては、幾つかの信号について、幾つかの実装シナリオにおいて、幾つかの状況において、及び／又は幾つかの周波数において、いかなるＬＢＴプロシージャも伝送エンティティによって実行されなくてもよい。一実施例においては、（例えばランダムバックオフを伴わないＬＢＴなどの）カテゴリ２が実装されてもよい。伝送エンティティによる伝送の前にチャネルが空いていることが感知される時間の長さが、決定論的であってもよい。一実施例においては、（例えばコンテンションウィンドウのサイズが固定されているランダムバックオフを伴うＬＢＴなどの）カテゴリ３が実装されてもよい。ＬＢＴプロシージャが、そのコンポーネントのうちの１つとして、以下のプロシージャを有してもよい。伝送エンティティが、コンテンションウィンドウ内で乱数Ｎを選択してもよい。コンテンションウィンドウのサイズが、Ｎの最小値及び最大値によって規定されてもよい。コンテンションウィンドウのサイズが固定されていてもよい。ＬＢＴプロシージャにおいて、伝送エンティティによるチャネル上での伝送の前にチャネルが空いていることが感知される時間の長さを求めるために、乱数Ｎが用いられてもよい。一実施例においては、（例えばコンテンションウィンドウのサイズが可変であるランダムバックオフを伴うＬＢＴなどの）カテゴリ４が実装されてもよい。伝送エンティティが、コンテンションウィンドウ内で乱数Ｎを選択してもよい。コンテンションウィンドウのサイズが、Ｎの最小値及び最大値によって規定されてもよい。伝送エンティティが、乱数Ｎの選択時にコンテンションウィンドウのサイズを変化させてもよい。ＬＢＴプロシージャにおいて、伝送エンティティによる伝送の前にチャネルが空いていることが感知される時間の長さを求めるために、乱数Ｎが使用されてもよい。
【００５８】
ＬＡＡが、ＵＥにおいてアップリンクＬＢＴを採用してもよい。ＬＡＡ  ＵＬが、ＵＥのチャネルコンテンションの機会に影響を及ぼすスケジュールされたアクセスに基づいてもよいことから、ＵＬ  ＬＢＴスキームが、（例えば異なるＬＢＴ機構又はパラメータを使用することで）ＤＬ  ＬＢＴとは異なっていてもよい。別のＵＬ  ＬＢＴスキームを採用する理由が、限定ではないが、単一のサブフレーム内に複数のＵＥを多重化すること含む。
【００５９】
一実施例においては、ＤＬ伝送バーストが、同じＣＣ上の同じノードからの直前又は直後の伝送を伴わないＤＬ伝送ノードからの連続的な伝送であってもよい。ＵＥパースペクティブからのＵＬ伝送バーストが、同じＣＣ上の同じＵＥからの直前又は直後の伝送を伴わないＵＥからの連続的な伝送であってもよい。一実施例においては、ＵＬ伝送バーストが、ＵＥパースペクティブから規定されてもよい。一実施例においては、ＵＬ伝送バーストが、ｅＮＢパースペクティブから規定されてもよい。一実施例においては、同じアンライセンストキャリア上でＤＬ＋ＵＬ  ＬＡＡを行っているｅＮＢの場合に、ＬＡＡ上のＤＬ伝送バースト及びＵＬ伝送バーストが、同じアンライセンストキャリア上でＴＤＭ的にスケジューリングされてもよい。例えば、ある瞬間が、ＤＬ伝送バースト又はＵＬ伝送バーストの一部であってもよい。
【００６０】
一実施例においては、アンライセンストセルにおいて、ダウンリンクバーストがサブフレーム内で開始されてもよい。ｅＮＢがチャネルにアクセスする際に、ｅＮＢが１つ以上のサブフレームの時間にわたって伝送を行ってもよい。当該時間が、ｅＮＢにおける最大構成バースト時間、伝送のために利用可能なデータ及び／又はスケジューリングアルゴリズムに基づいてもよい。図１０は、（ライセンス補助アクセスなどの）アンライセンストセルにおけるダウンリンクバーストの一実施例を図示している。この実施例における最大構成バースト時間が、ｅＮＢ内に構成されていてもよい。ｅＮＢが、最大構成バースト時間を、ＲＲＣ構成メッセージを用いてＵＥへと伝送してもよい。
【００６１】
無線デバイスが、複数のセルの構成パラメータを含む少なくとも１つの（ＲＲＣなどの）メッセージを基地局から受信してもよい。複数のセルが、（ライセンストセルなどの）第１の種類の少なくとも１つのセル及び（アンライセンストセル、ＬＡＡセルなどの）第２の種類の少なくとも１つのセルを含んでもよい。セルの構成パラメータが、例えば、（ｅＰＤＣＣＨ、ＰＤＳＣＨ、ＰＵＳＣＨ、ＰＵＣＣＨ及び／又は同等物などの）物理チャネルの構成パラメータを含んでもよい。無線デバイスが、１つ以上のアップリンクチャネルのための送信電力を決定してもよい。無線デバイスが、決定された送信電力に基づいて、少なくとも１つのアップリンクチャネルを介してアップリンク信号を送信してもよい。
【００６２】
例示的実施形態において、ＬＴＥ伝送時間がフレームを含んでもよく、フレームが多数のサブフレームを含んでもよい。時間ドメイン内の様々な時間ドメインのサイズが、Ｔｓ＝１／（１５０００×２０４８）秒の時間単位で表されてもよい。ダウンリンク、アップリンク及びサイドリンク伝送が、Ｔｆ＝３０７２００×Ｔｓ＝１０ｍｓの長さの無線フレーム内にまとめられてもよい。
ＬＴＥ実装の一例においては、少なくとも３つの無線フレーム構造：ＦＤＤ対応のタイプ１、ＴＤＤ対応のＴｙｐｅ２、ＬＡＡ二次セル対応のタイプ３がサポートされてもよい。ＬＡＡ二次セルは、タイプ３のフレーム構造に該当する。
【００６３】
マルチセルにおける通信は、一次セルに加えて１つ以上の二次セルを使用できる場所に集約してもよい。マルチセル集約の場合、異なるサービングセルにおいて異なるフレーム構造を使用してもよい。
【００６４】
フレーム構造タイプ１は、全二重及び半二重ＦＤＤの両方に適用可能であってもよい。無線フレームはＴｆ＝３０７２００・Ｔｓ＝１０ｍｓの長さであり、０から１９までの番号を付けた長さＴｓｌｏｔ＝１５３６０・Ｔｓ＝０．５ｍｓの２０個のスロットを備えていてもよい。サブフレームは２つの連続的なスロットを備えていてもよく、サブフレームｉはスロット２ｉと２ｉ＋１からなる。
【００６５】
ＦＤＤの場合、１０ｍｓ間隔で、１０個のサブフレームがダウンリンク通信に対して利用可能であり、１０個のサブフレームがアップリンク通信に対して利用可能である。アップリンク通信とダウンリンク通信は周波数領域で分離されている。半二重ＦＤＤ動作において、ＵＥは同時には送受信できないが、全二重ＦＤＤではこのような制限はなくてもよい。
【００６６】
フレーム構造Ｔｙｐｅ２はＴＤＤに適用可能であってもよい。長さＴｆ＝３０７２００・Ｔｓ＝１０ｍｓの無線フレームは、長さ１５３６００・Ｔｓ＝５ｍｓの２つのハーフフレームから構成してもよい。ハーフフレームは、長さ３０７２０・Ｔｓ＝１ｍｓの５個のサブフレームを備えていてもよい。サブフレームｉは長さＴｓｌｏｔ＝１５３６０・Ｔｓ＝０．５ｍｓの２つのスロット２ｉと２ｉ＋１を備えていてもよい。
【００６７】
セル内のアップリンク−ダウンリンク構成は、サブフレームのアップリンク又はダウンリンク通信が現在フレームで発生できるフレーム及び制御間で様々であってもよい。現在フレーム内のアップリンク−ダウンリンク構成は制御信号を介して獲得される。
【００６８】
無線フレーム内の一例のサブフレームは、ダウンリンク通信用に予約されたダウンリンクサブフレームであってもよく、アップリンク通信用に予約されたアップリンクサブフレームであってもよく、又は３つのフィールドＤｗＰＴＳ、ＧＰ及びＵｐＰＴＳを備えた専用サブフレームであってもよい。ＤｗＰＴＳとＵｐＰＴＳの長さは、３０７２０・Ｔｓ＝１ｍｓに等しいＤｗＰＴＳ、ＧＰ及びＵｐＰＴＳの合計の長さに影響される。
【００６９】
５ｍｓ及び１０ｍｓの両方のダウンリンク対アップリンク切替えポイント周期を備えたアップリンク−ダウンリンク構成をサポートしてもよい。５ｍｓのダウンリンク対アップリンク切替えポイント周期の場合、専用サブフレームが両方のハーフフレームに存在してもよい。１０ｍｓのダウンリンク対アップリンク切替えポイント周期の場合、専用サブフレームは第１ハーフフレームに存在してもよい。
【００７０】
ダウンリンク通信に対して、サブフレーム０と５及びＤｗＰＴＳを予約してもよい。アップリンク通信に対して、ＵｐＰＴＳと、専用サブフレームの直後のサブフレームを予約してもよい。
【００７１】
一例では、マルチセルが集約される場合、ＵＥは、フレーム構造Ｔｙｐｅ  ２を用いるセル内の専用サブフレームのガード期間が少なくとも１４５６・Ｔｓの重複を有すると仮定してもよい。
【００７２】
一例では、現在の無線フレーム内に異なるアップリンク−ダウンリンク構成を備えたマルチセルが集約され、ＵＥが集約済みセル内で同時に送受信できない場合、次の制約を当てはめてもよい。一次セル内のサブフレームがダウンリンクサブフレームである場合、ＵＥは同じサブフレーム内の二次セル上に信号又はチャネルを送信できない。一次セル内のサブフレームがアップリンクサブフレームである場合、ＵＥは同じサブフレーム内の二次セル上でダウンリンク通信を受信することを期待されなくてもよい。一次セル内のサブフレームが専用サブフレームであり、二次セル内の同じサブフレームがダウンリンクサブフレームである場合、ＵＥは同じサブフレームの二次セル内でＰＤＳＣＨ／ＥＰＤＣＣＨ／ＰＭＣＨ／ＰＲＳ通信を受信することを期待されなくてもよく、ＵＥは一次セル内のガード期間又はＵｐＰＴＳと重複するＯＦＤＭシンボル内の二次セル上で他の信号を受信することを期待されなくてもよい。
【００７３】
フレーム構造タイプ３は通常のサイクリックプレフィックスを備えたＬＡＡ二次セル動作に適用可能であってもよい。無線フレームはＴｆ＝３０７２００・Ｔｓ＝１０ｍｓの長さであり、０から１９までの番号を付けた長さＴｓｌｏｔ＝１５３６０・Ｔｓ＝０．５ｍｓの２０個のスロットからなる。サブフレームは２つの連続的なスロットを備えていてもよく、サブフレームｉはスロット２ｉとスロット２ｉ＋１からなる。
【００７４】
無線フレーム内の１０個のサブフレームが、ダウンリンク通信に対して利用可能である。ダウンリンク通信は１つ以上の連続的なフレームを占有し、サブフレーム内の任意の場所で開始し、完全に占有されているか又はＤｗＰＴＳ持続期間の１つの後の最後のサブフレームで終了する。ＬＡＡアップリンクがサポートされているとき、サブフレームはアップリンク通信に対して利用可能であってもよい。
【００７５】
一例の実施形態では、ＬＡＡ  ＳＣｅｌｌ上の許可キャリアにおいてサービングセルのＨＡＲＱ  ＡＣＫ通信はサポートされていなくてもよい。ＬＡＡ  ＳＣｅｌｌ上の無許可キャリアにおいてサービングセルのＨＡＲＱ  ＡＣＫ及びＣＳＩ通信はサポートされていてもよい。一例では、許可セルＰＵＣＣＨ及びＬＡＡ  ＳＣｅｌｌ  ＰＵＳＣＨ同時通信はＬＡＡセル構成をサポートしているＵＥによってサポートされていてもよい。例えば、許可スペクトル内のＰＵＣＣＨ及びＬＡＡ  ＳＣｅｌｌ  ＰＵＳＣＨ同時通信がＵＥによってサポートされた場合だけ、ＵＬ用のＬＡＡ  ＳＣｅｌｌをＵＥに対して構成してもよい。ＬＡＡセル構成をサポートしているＵＥはｅＮＢにＵＥ機能メッセージを送信してもよい。機能メッセージは、ＵＥがＰＵＣＣＨ及びＰＵＳＣＨ同時通信をサポートすることを示す１つ以上のパラメータを備えていてもよい。ｅＮＢは、あるセル（例えば、ＰＣｅｌｌ、ＰＵＣＣＨ  ＳＣｅｌｌ及び／又はＰＳＣｅｌｌ）用にＰＵＣＣＨ及びＰＵＳＣＨ同時パラメータを構成してもしなくてもよい。
【００７６】
一例では、ＵＥ機能メッセージ内のフィールドｓｉｍｕｌｔａｎｅｏｕｓＰＵＣＣＨ−ＰＵＳＣＨは、ＵＥベースバンドがＰＵＣＣＨ及びＰＵＳＣＨの同時通信をサポートするかどうかを定義してもよい。これは、帯域不可知であってもよい。一例では、ＵＥがこのフィールドを用いてＰＵＣＣＨ及びＰＵＳＣＨの同時通信用のベースバンド機能をサポートすることを示す場合、及びＵＥが特定のＥ−ＵＴＲＡ無線周波数帯域用のコンポーネントキャリア内の非近接ＵＬリソース割当て用のＲＦ機能をサポートすることを示す場合、ＵＥはその帯域のコンポーネントキャリア内でＰＵＣＣＨ及びＰＵＳＣＨの同時通信をサポートしてもよい。一例では、ＵＥがこのフィールドを用いてＰＵＣＣＨ及びＰＵＳＣＨの同時通信用のベースバンド機能をサポートすることを示す場合、及びＵＥがＵＬ内のキャリア集約をサポートすることを示す場合、ＵＥは、集約可能な任意のＵＬコンポーネントキャリアにわたってＰＵＣＣＨ及びＰＵＳＣＨの同時通信をサポートしてもよい。ＵＥがＤＣをサポートする場合、このフィールドはＣＧ内で適用可能であってもよい。
【００７７】
一例の実施形態では、ｅＮＢは１つ以上の許可セル及び１つ以上のＬＡＡセルを構成するＵＥに、１つ以上のＲＲＣメッセージを送信してもよい。ＲＲＣメッセージはｓｉｍｕｌｔａｎｅｏｕｓＰＵＣＣＨ−ＰＵＳＣＨフィールドを備えていてもよい。このフィールド／パラメータは、ＰＵＣＣＨ及びＰＵＳＣＨ同時通信が構成されているかどうかを示してもよい。ＰＣｅｌｌが構成される帯域内でｎｏｎＣｏｎｔｉｇｕｏｕｓＵＬ−ＲＡ−ＷｉｔｈｉｎＣＣ−Ｉｎｆｏをサポートするように設定されるとき、Ｅ−ＵＴＲＡＮはＰＣｅｌｌ用にこのフィールドを構成してもよい。ＰＳＣｅｌｌが構成される帯域内でｎｏｎＣｏｎｔｉｇｕｏｕｓＵＬ−ＲＡ−ＷｉｔｈｉｎＣＣ−Ｉｎｆｏをサポートするように設定されるとき、Ｅ−ＵＴＲＡＮはＰＳＣｅｌｌ用にこのフィールドを構成してもよい。ＰＵＣＣＨ  ＳＣｅｌｌが構成される帯域内でｎｏｎＣｏｎｔｉｇｕｏｕｓＵＬ−ＲＡ−ＷｉｔｈｉｎＣＣ−Ｉｎｆｏをサポートするように設定されるとき、Ｅ−ＵＴＲＡＮはＰＵＣＣＨ  ＳＣｅｌｌ用にこのフィールドを構成してもよい。
【００７８】
一例の実施形態では、少なくとも無許可キャリア用の非周期的ＣＳＩに対してＬＡＡ  ＳＣｅｌｌ上での非周期的ＣＳＩの通信をサポートしてもよい。一例では、ＬＡＡセル上の非周期的ＣＳＩのみ（ＵＬ−ＳＣＨなし）及び／又はＵＬ−ＳＣＨありの非周期的ＣＳＩの通信をサポートしてもよい。拡張ＬＡＡは、１つ以上のＬＡＡ  ＳＣｅｌｌを備えるセル群内のＰＵＳＣＨ上で、少なくともＨＡＲＱフィードバックを含むＵＣＩの通信をサポートしてもよい。
【００７９】
一例では、ＰＵＣＣＨ及びＰＵＳＣＨの同時通信が構成されているとき、許可及び／又は無許可セルのＨＡＲＱ−ＡＣＫはそのセル群のＰＵＣＣＨに送信してもよい。例えば、図１１、ａ）、サブフレームｎ及びｎ＋１を参照のこと。
【００８０】
一例では、ＰＵＣＣＨ及びＰＵＳＣＨの同時通信が構成されていないとき、このセル群内にスケジューリング中のＰＵＳＣＨがない場合、許可及び無許可セルのＨＡＲＱ−ＡＣＫはそのセル群のＰＵＣＣＨ上に送信してもよい。例えば、図１１、ｂ）、サブフレームｎを参照のこと。
【００８１】
一例では、ＰＵＣＣＨ及びＰＵＳＣＨの同時通信が構成されておらず、許可セル上にＰＵＳＣＨがあるとき、許可及び無許可セルのＨＡＲＱ−ＡＣＫは、そのセル群の最小のセルインデックスを備えた許可セル上のＰＵＳＣＨに送信してもよい。例えば、図１１、ｂ）、サブフレームｎ＋１を参照のこと。
【００８２】
一例では、ＰＵＣＣＨ及びＰＵＳＣＨの同時通信が構成されておらず、無許可セル上にＰＵＳＣＨだけがあるとき、許可及び無許可セルのＨＡＲＱ−ＡＣＫはＰＵＣＣＨに送信される。一例では、ＰＵＣＣＨセル群にＰＵＣＣＨを備える許可セルのＰＵＣＣＨ及びＰＵＳＣＨの同時通信の構成とは別個に、無許可セル上のＰＵＳＣＨは許可セルのＰＵＣＣＨと並列に送信してもよい。ＵＥは、ＵＥ用のＬＡＡセルの構成とは別個に、ＰＵＣＣＨ群の許可セルの同時ＰＵＳＣＨ／ＰＵＣＣＨと共に構成してもしなくてもよい。例えば、図１２、ａ）、サブフレームｎ＋１を参照のこと。
【００８３】
ＬＡＡ  ＳＣｅｌｌ用のＲｅｌ−１３  ＨＡＲＱ−ＡＣＫタイミングは、このＨＡＲＱ−ＡＣＫフィードバックモード用に実現してもよい。一例では、ＰＵＣＣＨ群が許可セル及び無許可セルを含み、ＰＵＣＣＨ及びＰＵＳＣＨの同時通信が構成されておらず、ＵＣＧが構成されていない場合、許可セルだけの中で最小のセルインデックスを備えた許可セル上のＰＵＳＣＨがＨＡＲＱ−ＡＣＫ通信に用いられる。許可ＰＵＳＣＨがスケジュールされておらず、スケジュールされた無許可セルが少なくとも１つある場合、ＰＵＣＣＨはＨＡＲＱ−ＡＣＫ通信に用いられる。
【００８４】
一例では、無許可ＨＡＲＱ−ＡＣＫオフロードを実現するために、ＣＡ  ＵＣＩフィードバックフレームワークは許可セル及びＬＡＡセルのＨＡＲＱ−ＡＣＫを許可セル上に送信することを可能にしてもよい。ＬＡＡセルのＨＡＲＱフィードバックがあるいくつかの状況では、ＬＡＡセル上へのＨＡＲＱフィードバックのオフロードをサポートしてもよい。例えば、ＬＡＡ  ＳＣｅｌｌ用ＨＡＲＱフィードバック並びにＬＡＡ  ＳＣｅｌｌ上のＰＵＳＣＨがある場合、同時ＰＵＣＣＨ及びＰＵＳＣＨが構成されていないとき、ＬＡＡセルのＨＡＲＱフィードバックはＬＡＡ  ＰＵＳＣＨの１つに送信してもよい。例えば、図１２、ｂ）、サブフレームｎ＋１を参照のこと。
【００８５】
ＰＵＣＣＨ及びＰＵＳＣＨの同時通信がＰＣｅｌｌ、ＰＵＣＣＨ  ＳＣｅｌｌ及び／又はＰＳＣｅｌｌ用に構成されておらず、少なくとも１つのＬＡＡセルが構成されているとき、ＵＥ挙動を定義する必要がある。一例の実施形態では、ＰＵＣＣＨを備えるセル用にＰＵＣＣＨ及びＰＵＳＣＨの同時通信が構成されているとき、ＰＵＣＣＨ／ＰＵＳＣＨ通信ルールは対応するＰＵＣＣＨ群に適用され、構成済みＵＣＧ内のＬＡＡセルには適用されなくてもよい。一例の実施形態では、ＰＵＣＣＨを備えるセル用にＰＵＣＣＨ及びＰＵＳＣＨの同時通信が構成されていないとき、ＰＵＣＣＨ／ＰＵＳＣＨ通信ルールはＰＵＣＣＨ群の許可セルに適用され、ＭＣＧ又はＳＣＧ（ＭｅＮＢ又はＳｅＮＢ）内のｅＮＢによって構成されたＬＡＡセルには適用されなくてもよい。ＰＵＣＣＨを備えるセル用にＰＵＣＣＨ及びＰＵＳＣＨの同時通信が構成されていないとき、これはＬＡＡセルの構成済みＰＵＣＣＨ（ＰＣｅｌｌ、ＰＵＣＣＨ  ＳＣｅｌｌ及び／又はＰＳＣｅｌｌ）及びＰＵＳＣＨと、あるセル上のＰＵＣＣＨの並列通信を可能にしてもよい。ＰＣｅｌｌ、ＰＵＣＣＨ  ＳＣｅｌｌ及び／又はＰＳＣｅｌｌ用にＰＵＣＣＨ及びＰＵＳＣＨの同時通信が構成されていないとき、ＰＵＣＣＨ及びＰＵＳＣＨの同時通信用のルールは対応するＰＵＣＣＨ群の許可セルに適用され、（ＰＵＣＣＨ群又はＵＣＧの）無許可セルには適用されなくてもよい。例えば、図１３を参照のこと。
【００８６】
一例では、ＰＵＣＣＨ及びＰＵＳＣＨの同時通信が構成されていないとき、対応するＰＵＣＣＨ群の許可及び／又は無許可セルのＨＡＲＱ−ＡＣＫは、このＰＵＣＣＨセル群の許可セル上にＰＵＳＣＨスケジュールがない場合、そのセル群のＰＵＣＣＨ上に送信されなくてもよい。無許可セル上のＰＵＳＣＨは、対応するＰＵＣＣＨセル群のＰＵＣＣＨと並列に送信してもよい。構成済みＵＣＧの無許可セル上のＰＵＳＣＨは、対応するＰＵＣＣＨセル群のＰＵＣＣＨと並列に送信してもよい。ＰＵＣＣＨ及びＰＵＳＣＨの通信上のレガシーリリース１３挙動は（ＰＵＣＣＨ及びＰＵＳＣＨの同時通信のＲＲＣ構成に基づいて）ＰＵＣＣＨ群の許可セルに適用されるが、無許可セルには適用されなくてもよい。
【００８７】
一例では、ＰＵＣＣＨ及びＰＵＳＣＨの同時通信が構成されておらず、許可セル上にＰＵＳＣＨがあるとき、許可及び／又は無許可セルのＨＡＲＱ−ＡＣＫは、そのセル群の最小セルインデックスを備えた許可セル上のＰＵＳＣＨに送信してもよい。ＬＡＡセルは、ＰＵＣＣＨ群の他のＰＵＳＣＨと並列にＰＵＳＣＨを送信してもよい。ＵＣＧのＬＡＡセルのＨＡＲＱフィードバックは、ＰＵＣＣＨ群のセル上のＰＵＣＣＨ及び／又はＰＵＳＣＨの通信と並列にＵＣＧ上に送信してもよい。
【００８８】
一例では、ＰＵＣＣＨ及びＰＵＳＣＨの同時通信がＰＵＣＣＨ群のセル用に構成されておらず、無許可セル上のＰＵＳＣＨがあるとき、許可及び／又は無許可セルのＨＡＲＱ−ＡＣＫはＰＵＣＣＨセル群のＰＵＣＣＨと並列に送信してもよい。ＬＡＡセル上のＰＵＳＣＨは、ＰＵＣＣＨセル群のＰＵＣＣＨと並列に送信してもよい。
【００８９】
ＬＡＡセルが構成されているとき、これはキャリア集約のアップリンク中のＰＵＳＣＨ通信を増大させてもよい。ＰＵＣＣＨ及びＰＵＳＣＨの同時通信が構成されていなくても、１つ以上のＬＡＡセル上のＰＵＳＣＨはＰＵＣＣＨ群内に構成されたＰＵＣＣＨと並列に送信してもよい。
【００９０】
ＲＲＣメッセージ内の電力ヘッドルーム条件構成パラメータの例を以降に示す。他の例を実行してもよい。ｐｈｒ−Ｃｏｎｆｉｇ  ＣＨＯＩＣＥ｛ｒｅｌｅａｓｅ  ＮＵＬＬ，ｓｅｔｕｐ  ＳＥＱＵＥＮＣＥ｛ｐｅｒｉｏｄｉｃＰＨＲ−Ｔｉｍｅｒ  ＥＮＵＭＥＲＡＴＥＤ｛ｓｆ１０，ｓｆ２０，ｓｆ５０，ｓｆ１００，ｓｆ２００，ｓｆ５００，ｓｆ１０００，ｉｎｆｉｎｉｔｙ｝、ｐｒｏｈｉｂｉｔＰＨＲ−Ｔｉｍｅｒ  ＥＮＵＭＥＲＡＴＥＤ｛ｓｆ０，ｓｆ１０，ｓｆ２０，ｓｆ５０，ｓｆ１００，ｓｆ２００，ｓｆ５００，ｓｆ１０００｝、ｄｌ−ＰａｔｈｌｏｓｓＣｈａｎｇｅ  ＥＮＵＭＥＲＡＴＥＤ｛ｄＢ１，ｄＢ３，ｄＢ６，ｉｎｆｉｎｉｔｙ｝。
【００９１】
パラメータｐｅｒｉｏｄｉｃＰＨＲ−ＴｉｍｅｒはＰＨＲレポートのタイマであってもよい。サブフレーム数の値。値ｓｆ１０は１０個のサブフレームに対応し、ｓｆ２０は２０個のサブフレームに対応する等。
【００９２】
パラメータｐｒｏｈｉｂｉｔＰＨＲ−ＴｉｍｅｒはＰＨＲレポートのタイマであってもよい。サブフレーム数の値。値ｓｆ０は０個のサブフレームに対応し、ｓｆ１００は１００個のサブフレームに対応する等。
【００９３】
パラメータｄｌ−ＰａｔｈｌｏｓｓＣｈａｎｇｅは、ＤＬ  Ｐａｔｈｌｏｓｓ  Ｃｈａｎｇｅと、ＰＨＲレポートの電力管理のために（Ｐ−ＭＰＲｃによって許可されるように）必要なパワーバックオフの変化とであってもよい。ｄＢの値。値ｄＢ１は１ｄＢに対応し、ｄＢ３は３ｄＢに対応する等。同じ値は各サービングセルに当てはめてもよい（ただし、関連の機能は各セルで別個に実行される）。
【００９４】
Ｐｏｗｅｒ  Ｈｅａｄｒｏｏｍレポート手続きは、起動されたサービングセル毎のＵＬ−ＳＣＨ通信用の公称ＵＥ最大送信電力と推定電力の違いについての情報をサービングｅＮＢに提供するために用いられてもよい。Ｐｏｗｅｒ  Ｈｅａｄｒｏｏｍレポート手続きは、ＳｐＣｅｌｌ及び／又はＰＵＣＣＨ  ＳＣｅｌｌ上のＵＬ−ＳＣＨ及びＰＵＣＣＨ通信用の公称ＵＥ最大電力と推定電力の間の違いについての情報をサービングｅＮＢに提供するために用いられてもよい。
【００９５】
Ｐｏｗｅｒ  Ｈｅａｄｒｏｏｍのレポート期間、遅延及びマッピングを定義してもよい。ＲＲＣは、少なくとも２つのタイマであるｐｅｒｉｏｄｉｃＰＨＲ−Ｔｉｍｅｒ及びｐｒｏｈｉｂｉｔＰＨＲ−Ｔｉｍｅｒを構成することによって、及びｄｌ−ＰａｔｈｌｏｓｓＣｈａｎｇｅを送信することによって、Ｐｏｗｅｒ  Ｈｅａｄｒｏｏｍレポートを制御してもよく、ＰＨＲを起動するために（Ｐ−ＭＰＲｃによって許可されるように）電力管理のために、測定済みダウンリンクパスロス及びパワーバックオフの変化を設定してもよい。
【００９６】
一例の実施形態では、１つ以上の以降のイベント（特定の順番では列挙されていない）が発生した場合、Ｐｏｗｅｒ  Ｈｅａｄｒｏｏｍ  Ｒｅｐｏｒｔ（ＰＨＲ）を起動してもよい。第１に、ＭＡＣエンティティが新しい通信用のＵＬリソースを有するとき、このＭＡＣエンティティのＰＨＲの最後の通信以来、ｐｒｏｈｉｂｉｔＰＨＲ−Ｔｉｍｅｒが失効したか又は失効し、パスロス基準として使用される任意のＭＡＣエンティティの少なくとも１つの起動済みサービングセルのｄｌ−ＰａｔｈｌｏｓｓＣｈａｎｇｅ  ｄＢより多くパスロスが変化している。第２に、ｐｅｒｉｏｄｉｃＰＨＲ−Ｔｉｍｅｒが失効する。第３に、機能を無効にするために使用されない上位層による電力ヘッドルームレポート機能の構成又は再構成時。第４に、構成済みアップリンクを備えた任意のＭＡＣエンティティのＳＣｅｌｌの起動、第５に、ＰＳＣｅｌｌの追加、及び／又は第６に、ＭＡＣエンティティが新しい通信用のＵＬリソースを有するとき、ｐｒｏｈｉｂｉｔＰＨＲ−Ｔｉｍｅｒが失効したか又は失効し、及び構成済みアップリンクを備えた任意のＭＡＣエンティティの起動済みサービングセルのいずれかに対して、このＴＴＩにおいて以降のことが真である（通信用に割り当てたＵＬリソースがあってもよく、又はこのセル上にＰＵＣＣＨ通信があってもよく、及びＭＡＣエンティティがこのセル上の通信又はＰＵＣＣＨ通信用に割り当てたＵＬリソースを有するとき、このセルの（Ｐ−ＭＰＲｃによって許可されるように）電力管理による必要なパワーバックオフが、ＰＨＲの最後の通信以来、ｄｌ−ＰａｔｈｌｏｓｓＣｈａｎｇｅ  ｄＢより多く変化している）。
【００９７】
一例の実施形態では、ＭＡＣエンティティは、電力管理による必要なパワーバックオフが一時的に（例えば、最大数１０ｍｓの間）低下したとき、ＰＨＲの起動を回避してもよく、ＰＨＲが他の起動条件によって起動されたとき、ＰＣＭＡＸ，ｃ／ＰＨの値においてこのような一時的低下を反映させなくてもよい。
【００９８】
ＭＡＣエンティティがこのＴＴＩの新しい通信に割り当てたＵＬリソースを有する場合、ＭＡＣエンティティは、最後のＭＡＣリセット以来、新しい通信に割り当てた最初のＵＬリソースであれば、ｐｅｒｉｏｄｉｃＰＨＲ−Ｔｉｍｅｒを開始してもよい。少なくとも１つのＰＨＲが起動され、取り消されていないことをＰｏｗｅｒ  Ｈｅａｄｒｏｏｍレポート手続きが決定した場合、及び割り当てたＵＬリソースが論理チャネル優先順位付けの結果として、対応するＰＨＲ  ＭＡＣ制御要素と対応するＰＨＲ構成のそのサブヘッダを収容できる場合、ＵＥは対応するＰＨＲレポートを送信してもよい。
【００９９】
例えば、次のような場合、ＵＥは構成済みアップリンクを用いて１つ以上の起動されたサービングセルに対応するＰＨＲリポートを送信してもよい。ｅｘｔｅｎｄｅｄＰＨＲとｄｕａｌＣｏｎｎｅｃｔｉｖｉｔｙＰＨＲがどちらも構成されていなければ、割当て済みＵＬリソースがＰＨＲ  ＭＡＣ制御要素とそのサブヘッダを、及び／又はｅｘｔｅｎｄｅｄＰＨＲが構成されていれば、Ｅｘｔｅｎｄｅｄ  ＰＨＲ  ＭＡＣ制御要素とそのサブヘッダ、及び／又はｄｕａｌＣｏｎｎｅｃｔｉｖｉｔｙＰＨＲが論理チャネル優先順位付けの結果として構成されていれば、Ｄｕａｌ  ＣｏｎｎｅｃｔｉｖｉｔｙＰＨＲ  ＭＡＣ制御要素とそのサブヘッダを収容できる場合。
【０１００】
ＬＴＥ  Ｒｅｌｅａｓｅ−１０キャリア集約（ＣＡ）では、ＰＣｅｌｌのタイプ２電力ヘッドルーム（ＰＨ）とＳＣｅｌｌのタイプ１  ＰＨを収容するために、Ｅｘｔｅｎｄｅｄ  Ｐｏｗｅｒ  Ｈｅａｄｒｏｏｍ  Ｒｅｐｏｒｔ（ＰＨＲ）ＭＡＣ制御要素（ＣＥ）が導入された。ｓｉｍｕｌｔａｎｅｏｕｓＰＵＣＣＨ−ＰＵＳＣＨ構成がサポートされているとき、タイプ２ＰＨを用いてもよい。ＤＣでは、ＰＵＣＣＨはＰＣｅｌｌとＰＳＣｅｌｌ上に送信してもよいので、ＰＨＲ  ＭＡＣ  ＣＥは２つのタイプ２  ＰＨといくつかのタイプ１  ＰＨを含んでいてもよい。ＰＳＣｅｌｌの余分なタイプ２ＰＨを含むように、ＤＣ  ＰＨＲ  ＭＡＣ  ＣＥが導入された。ＤＣの場合、ＰＨは両方のｅＮＢに別個にレポートしてもよいが、ＰＨＲは動作中のサービングセルのＰＨを含んでいてもよい。
【０１０１】
ＬＴＥ  Ｒｅｌｅａｓｅ−１３では、次の３タイプの電力ヘッドルーム関連ＭＡＣ  ＣＥが定義される。１）Ｐｏｗｅｒ  Ｈｅａｄｒｏｏｍ  Ｒｅｐｏｒｔ  ＭＡＣ  ＣＥ、２）Ｅｘｔｅｎｄｅｄ  Ｐｏｗｅｒ  Ｈｅａｄｒｏｏｍ  Ｒｅｐｏｒｔ  ＭＡＣ  ＣＥ、及び３）Ｄｕａｌ  Ｃｏｎｎｅｃｔｉｖｉｔｙ  Ｐｏｗｅｒ  Ｈｅａｄｒｏｏｍ。ＭＡＣ  ＣＥは、ＭＡＣサブヘッダ内の論理チャネルＩＤ（ＬＣＩＤ）フィールドによって識別されてもよい。ＬＣＩＤフィールドは、対応するＭＡＣ  ＳＤＵの論理チャネルインスタンス、及び／又は対応するＭＡＣ制御要素のタイプ、及び／又はパディングを識別してもよい。拡張ＰＨＲは２つのフォーマットＥｘｔｅｎｄｅｄＰＨＲとＥｘｔｅｎｄｅｄＰＨＲ２を有してもよい。
【０１０２】
Ｒｅｌｅａｓｅ−１３内のＵＬ−ＳＣＨ  ＭＡＣ  ＣＥ用のＬＣＩＤの値は、３ＧＰＰ  ＴＳ  ３６．３２１  Ｖ１３．１．０内で次のように定義される。Ｉｎｄｅｘ  １１０００：Ｄｕａｌ  Ｃｏｎｎｅｃｔｉｖｉｔｙ  Ｐｏｗｅｒ  Ｈｅａｄｒｏｏｍ  Ｒｅｐｏｒｔ；Ｉｎｄｅｘ  １１００１：Ｅｘｔｅｎｄｅｄ  Ｐｏｗｅｒ  Ｈｅａｄｒｏｏｍ  Ｒｅｐｏｒｔ；及びＩｎｄｅｘ  １１０１０：Ｐｏｗｅｒ  Ｈｅａｄｒｏｏｍ  Ｒｅｐｏｒｔ
【０１０３】
ｅｘｔｅｎｄｅｄＰＨＲモードが構成される場合、及びＰＨＲの通信用の条件に適合するとき、ＵＥは、例えば、ＬＣＩＤ＝１１００１によって識別されたＥｘｔｅｎｄｅｄ  ＰＨＲ  ＭＡＣ制御要素を生成し送信してもよい。
【０１０４】
ｄｕａｌＣｏｎｎｅｃｔｉｖｉｔｙＰＨＲが構成された場合、及びＰＨＲの通信用の条件に適合するとき、ＵＥは、例えば、ＬＣＩＤ＝１１０００によって識別されたＤｕａｌ  Ｃｏｎｎｅｃｔｉｖｉｔｙ  Ｐｏｗｅｒ  Ｈｅａｄｒｏｏｍ  Ｒｅｐｏｒｔを生成し送信してもよい。
【０１０５】
ＰＨＲが構成されるが、ｅｘｔｅｎｄｅｄＰＨＲモードとｄｕａｌＣｏｎｎｅｃｔｉｖｉｔｙＰＨＲモードのどちらも構成されていない場合、及びＰＨＲの通信用の条件に適合するとき、ＵＥは、例えば、ＬＣＩＤ１１０１０と共にＰｏｗｅｒ  Ｈｅａｄｒｏｏｍ  Ｒｅｐｏｒｔを生成し送信してもよい。
【０１０６】
ｅＮＢは、１つ以上のセルの構成パラメータを備える１つ以上のＲＲＣ構成パラメータを送信してもよい。あるセルの構成パラメータは、電力ヘッドルーム用の構成パラメータを備えていてもよい。ＵＥはＲＲＣ構成パラメータを用いて、ＵＥがどのタイプのＰＨＲヘッドルームを送信すべきかを決定してもよい。
【０１０７】
一例の実施形態では、ＵＥはｓｉｍｕｌｔａｎｅｏｕｓＰＵＣＣＨ−ＰＵＳＣＨのサポートに関するその機能をＲＲＣ  ＵＥ  Ｃａｐａｂｉｌｉｔｙ  ＩＥ内のｅＮＢに送信してもよい。例えば、ｓｉｍｕｌｔａｎｅｏｕｓＰＵＣＣＨ−ＰＵＳＣＨ−ｒ１０：ＥＮＵＭＥＲＡＴＥＤ｛ｓｕｐｐｏｒｔｅｄ｝ＯＰＴＩＯＮＡＬ。それから、ｅＮＢは、ＲＲＣ制御メッセージ内の情報要素を用いて、ＰＣｅｌｌ、ＰＳＣｅｌｌ及び／又はＰＵＣＣＨ  ＳＣｅｌｌ用にｓｉｍｕｌｔａｎｅｏｕｓＰＵＣＣＨ−ＰＵＳＣＨを構成してもよい。例えば、ｓｉｍｕｌｔａｎｅｏｕｓＰＵＣＣＨ−ＰＵＳＣＨ  ＥＮＵＭＥＲＡＴＥＤ｛ｔｒｕｅ｝ＯＰＴＩＯＮＡＬ，Ｎｅｅｄ  ＯＲ。ｓｉｍｕｌｔａｎｅｏｕｓＰＵＣＣＨ−ＰＵＳＣＨ  ＩＥは、ＰＵＣＣＨ及びＰＵＳＣＨ同時通信がＰＵＣＣＨ群内で構成されているかどうかを示してもよい。一例では、ＰＣｅｌｌ（又は、例えば、ＰＵＣＣＨ  ＳＣｅｌｌ）が構成されている帯域で、ｎｏｎＣｏｎｔｉｇｕｏｕｓＵＬ−ＲＡ−ＷｉｔｈｉｎＣＣ−Ｉｎｆｏをサポートするように設定されてるとき、Ｅ−ＵＴＲＡＮはこのフィールドを構成してもよい。
【０１０８】
ＵＥがＬＡＡセルと共に構成され、ｓｉｍｕｌｔａｎｅｏｕｓＰＵＣＣＨ−ＰＵＳＣＨが構成されていないとき、ＰＵＣＣＨ及びＰＵＳＣＨの同時通信が発生してもよい。
【０１０９】
一例の実施形態では、１つ以上のＰＵＣＣＨ群と１つ以上のＬＡＡセルが構成されているとき、ＰＵＣＣＨ群のセルのＵＣＩはＰＵＣＣＨセル群のＰＵＳＣＨ上に送信してもよい。一例の実施形態では、１つ以上のＰＵＣＣＨ群と１つ以上のＵＣＧが構成されているとき、ＰＵＣＣＨ群のセルのＵＣＩはＰＵＣＣＨセル群のＰＵＳＣＨ上に送信されてもよく、ＵＣＧのセルのＵＣＩ（例えば、非周期ＣＳＩ及び／又はＨＡＲＱフィードバック）はＵＣＧの１つ以上のＰＵＳＣＨ上に送信される。ＵＥは、ＵＣＧのサービングセルのＰＵＳＣＨ上にＰＵＣＣＨ群のＵＣＩを多重化しなくてもよい。ＵＥは、ＵＣＧのサービングセルのＰＵＳＣＨ上にＵＣＧのＵＣＩを多重化してもよい。
【０１１０】
ＰＵＣＣＨ群が構成されているとき、ｓｉｍｕｌｔａｎｅｏｕｓＰＵＣＣＨ−ＰＵＳＣＨの構成は、ＰＣｅｌｌ及び／又はＰＵＣＣＨ  ＳＣｅｌｌ上に別個に構成されてもよい。例えば、パラメータｓｉｍｕｌｔａｎｅｏｕｓＰＵＣＣＨ−ＰＵＳＣＨは、ＰＣｅｌｌ及びＰＵＣＣＨ  ＳＣｅｌｌの両方で構成されてもよい（真として設定）。例えば、ｓｉｍｕｌｔａｎｅｏｕｓＰＵＣＣＨ−ＰＵＳＣＨはＰＣｅｌｌ又はＰＵＣＣＨ  ＳＣｅｌｌの一方に対して構成されてもよい。又は別の例では、ｓｉｍｕｌｔａｎｅｏｕｓＰＵＣＣＨ−ＰＵＳＣＨはＰＣｅｌｌ又はＰＵＣＣＨ  ＳＣｅｌｌのいずれかの上に構成されなくてもよい。
【０１１１】
一例の実施形態では、ｓｉｍｕｌｔａｎｅｏｕｓＰＵＣＣＨ−ＰＵＳＣＨが構成されている（真に設定されている）かどうかとは別個に、１つのＰＵＣＣＨ群内のＵＣＩは、１つ以上のＬＡＡセル上のＰＵＳＣＨ通信と並列に、ＰＵＣＣＨ群のＰＵＣＣＨ内で送信してもよい。ＰＣｅｌｌ、ＰＵＣＣＨ  ＳＣｅｌｌ及び／又はＰＳＣｅｌｌに対してｓｉｍｕｌｔａｎｅｏｕｓＰＵＣＣＨ−ＰＵＳＣＨが構成されていないときでも、ＰＵＣＣＨ群のＰＵＣＣＨと、１つ以上のＬＡＡセルのＰＵＳＣＨとの並列通信はなお可能である。ＵＥがＬＡＡセルと共に構成された場合、ＰＵＣＣＨ及びＰＵＳＣＨの同時通信は、ＰＣｅｌｌ、ＰＵＣＣＨ  ＳＣｅｌｌ及び／又はＰＳＣｅｌｌ上のｓｉｍｕｌｔａｎｅｏｕｓＰＵＣＣＨ−ＰＵＳＣＨの構成とは別個に発生してもよい。
【０１１２】
一例の実施形態では、ＬＡＡセルが構成されているとき拡張ＰＨＲ処理の必要性がある。既存のＰＨＲ処理は、１つ以上のＬＡＡセルが構成されるときのシナリオを考慮して拡張してもよい。現在のメカニズムでは、ＰＣｅｌｌ用のタイプ２  ＰＨＲは、ｓｉｍｕｌｔａｎｅｏｕｓＰＵＣＣＨ−ＰＵＳＣＨ及び／又はＰＵＣＣＨ  ＳＣｅｌｌ構成に依存して送信される。一例の実施形態では、ＰＨＲ  ＭＡＣ  ＣＥは、アップリンクを備えた少なくとも１つのＬＡＡセルが構成され起動された（とき）に応じて、あるセルのタイプ２  ＰＨＲを備える。この条件は、ＬＡＡセルがアップリンクと共に構成され、ＬＡＡセルが起動されたときに当てはまる（アップリンク条件と起動条件の両方が必要とされる）。これは、ｓｉｍｕｌｔａｎｅｏｕｓＰＵＣＣＨ−ＰＵＳＣＨ及び／又はＰＵＣＣＨ  ＳＣｅｌｌが構成されているかどうかに関わらない。このメカニズムは、必要な拡張情報をｅＮＢに提供し、アップリンクを備えた１つ以上のＬＡＡセルが構成され起動されたとき、アップリンクスケジューリング及び／又は電力制御を実行する。一例では、アップリンクを備えた１つ以上のＬＡＡセルが構成され起動されたとき、ｓｉｍｕｌｔａｎｅｏｕｓＰＵＣＣＨ−ＰＵＳＣＨが構成されていないときでも、並列ＰＵＳＣＨ及びＰＵＣＣＨが送信される可能性がある。
【０１１３】
一例の実施形態では、アップリンクを備えたＬＡＡセルはいくつかのシナリオでは停止させてもよい。一例では、ＬＡＡセルはアップリンクと共に構成されなくてもよい。一例では、もしアップリンクを備えた構成済みＬＡＡセルが全て停止されたとき、又は構成済みＬＡＡセルが全てアップリンクなしで構成されたとき、既存の処理を実現してもよい。一例の実施形態はＰＨＲ処理を改善する。一例の実施形態では、ＰＵＣＣＨを備えたセルのタイプ２  ＰＨＲは、ｓｉｍｕｌｔａｎｅｏｕｓＰＵＣＣＨ−ＰＵＳＣＨが構成されているかどうかに関わらず、アップリンクを備えた１つ以上のＬＡＡセルが構成され、アップリンクを備えた少なくとも１つのＬＡＡセルが起動されたときに送信してもよい。一例の実施形態では、ＰＨＲ  ＭＡＣ  ＣＥは、少なくとも１つのＬＡＡが構成され、少なくとも１つの構成済みＬＡＡの少なくとも１つが構成済みアップリンクを有し、アップリンクを備えたＬＡＡが起動されるという条件への適合に少なくとも応じて、ＰＣｅｌｌのタイプ２  ＰＨＲ値を備える。ＰＣｅｌｌのタイプ２  ＰＨＲ値を含むためのこれらの条件は、アップリンク内のオーバヘッド低減を考慮しながら、アップリンクスケジューリング及び／又は電力制御性能を改善する。これらの条件のいずれかが取り除かれた場合、アップリンク無線性能の効率を潜在的に増大させることなく、アップリンクオーバヘッドは増大してもよい。
【０１１４】
一例の実施形態では、上記の処理は、その処理内に起動基準を含むことによって拡張してもよい。ＵＥは、ＰＨＲタイプ２の通信用に（構成済みアップリンクを備えた）１つ以上のセルの起動状態を更に確認する必要があってもよい。ｅｘｔｅｎｄｅｄＰＨＲ（２）  ＰＨＲがレポートされたとき、タイプ２ＰＨをレポートするメカニズムは以降の処理に従ってもよい。
【０１１５】
ｓｉｍｕｌｔａｎｅｏｕｓＰＵＣＣＨ−ＰＵＳＣＨが構成された場合、又はアップリンクを備えた少なくとも１つのＬＡＡセルが構成され起動された場合（ｓｉｍｕｌｔａｎｅｏｕｓＰＵＣＣＨ−ＰＵＳＣＨの構成に関わらず）、ＰＣｅｌｌ用のタイプ２電力ヘッドルームの値を獲得し、及び／又は物理層から対応するＰＣＭＡＸ，ｃフィールドの値を獲得することを少なくとも実行する。
【０１１６】
一例では、「アップリンクを備えた少なくとも１つのＬＡＡセルを構成し起動する」条件は、「アップリンクを備えた少なくとも１つのＬＡＡセルを起動する」と等しく置き換えてもよい。起動済みＬＡＡセルは構成済みＬＡＡセルでもある。
【０１１７】
一例の実施形態では、その処理は、処理内に起動基準を含むことによって拡張してもよい。ＵＥは、ＰＨＲタイプ２の通信用に１つ以上のセルの起動状態を更に確認する必要があってもよい。ｅｘｔｅｎｄｅｄＰＨＲ２  ＰＨＲがレポートされたとき、タイプ２ＰＨをレポートするメカニズムは以降の処理に従ってもよい。
【０１１８】
一例の実施形態では、ｅｘｔｅｎｄｅｄＰＨＲ２  ＰＨＲがレポートされたとき、タイプ２ＰＨをレポートするメカニズムは以降の処理に従ってもよい。ＰＵＣＣＨ  ＳＣｅｌｌが構成され起動された場合、又はアップリンクを備えた少なくとも１つのＬＡＡセルが構成され起動された場合（ｓｉｍｕｌｔａｎｅｏｕｓＰＵＣＣＨ−ＰＵＳＣＨの構成に関わらず）、ＰＣｅｌｌのタイプ２電力ヘッドルームの値を獲得し、物理層から対応するＰＣＭＡＸ，ｃフィールドの値を獲得し、ＰＵＣＣＨ  ＳＣｅｌｌ用のタイプ２電力ヘッドルームの値を獲得し（構成され起動された場合）、及び／又は物理層から対応するＰＣＭＡＸ，ｃフィールドの値を獲得することを少なくとも実行する。もしくは（その他）ｓｉｍｕｌｔａｎｅｏｕｓＰＵＣＣＨ−ＰＵＳＣＨがＰＣｅｌｌ用に構成された場合、ＰＣｅｌｌ用のタイプ２電力ヘッドルームの値を獲得し、及び／又は物理層から対応するＰＣＭＡＸ，ｃフィールドの値を獲得することを少なくとも実行する。
【０１１９】
一例の実施形態では、一例の実施形態では、その処理は処理内に起動基準を含むことによって拡張してもよい。ＵＥは、ＰＨＲタイプ２の通信用に１つ以上のセルの起動状態を更に確認する必要があってもよい。ｄｕａｌＣｏｎｎｅｃｔｉｖｉｔｙＰＨＲ  ＰＨＲがレポートされたとき、タイプ２ＰＨをレポートするメカニズムは以降の処理に従ってもよい。
【０１２０】
一例の実施形態では、ｄｕａｌＣｏｎｎｅｃｔｉｖｉｔｙＰＨＲ  ＰＨＲがレポートされたとき、タイプ２ＰＨをレポートするメカニズムは以降の処理に従ってもよい。ｓｉｍｕｌｔａｎｅｏｕｓＰＵＣＣＨ−ＰＵＳＣＨが構成された場合、又はアップリンクを備えた少なくとも１つのＬＡＡセルが構成され起動された場合（ｓｉｍｕｌｔａｎｅｏｕｓＰＵＣＣＨ−ＰＵＳＣＨの構成に関わらず）、ＳｐＣｅｌｌ用のタイプ２電力ヘッドルームの値を獲得し、及び／又は物理層からＳｐＣｅｌｌ用の対応するＰＣＭＡＸ，ｃフィールドの値を獲得することを少なくとも実行する。
【０１２１】
一例では、「アップリンクを備えた少なくとも１つのＬＡＡセルを構成し起動する」条件は、「アップリンクを備えた少なくとも１つのＬＡＡセルを起動する」と等しく置き換えてもよい。起動済みＬＡＡセルは構成済みＬＡＡセルでもある。
【０１２２】
一例の実施形態では、その処理は処理内に起動基準を含むことによって拡張してもよい。ＵＥは、ＰＨＲタイプ２の通信用に１つ以上のセルの起動状態を更に確認する必要があってもよい。
【０１２３】
拡張電力ヘッドルームをレポートする一例の手続きを以降に示す。
【０１２４】
ＭＡＣエンティティがこのＴＴＩの新しい通信に割り当てられたＵＬリソースを有する場合、ＭＡＣエンティティは、最後のＭＡＣリセット以来、新しい通信に割り当てた最初のＵＬリソースであれば、ｐｅｒｉｏｄｉｃＰＨＲ−Ｔｉｍｅｒを開始し、少なくとも１つのＰＨＲが起動され取り消されていないことをＰｏｗｅｒ  Ｈｅａｄｒｏｏｍレポート手続きが決定した場合、及び論理チャネル優先順位付けの結果として、ＭＡＣエンティティが送信するように構成されたＰＨＲ用のＭＡＣ制御要素とそのサブヘッダを割当て済みＵＬリソースが収容可能な場合、ｅｘｔｅｎｄｅｄＰＨＲが構成された場合、構成済みアップリンクを備えた起動済みＳｅｒｖｉｎｇ  Ｃｅｌｌに対して、Ｔｙｐｅ１電力ヘッドルームの値を獲得し、ＭＡＣエンティティがこのＴＴＩ用にこのＳｅｒｖｉｎｇ  Ｃｅｌｌ上の通信に割り当てたＵＬリソースを有する場合、物理層から対応するＰＣＭＡＸ，ｃフィールドの値を獲得してもよい。
【０１２５】
ｓｉｍｕｌｔａｎｅｏｕｓＰＵＣＣＨ−ＰＵＳＣＨが構成されている場合、又はアップリンクを備えた少なくとも１つのＬＡＡセルが構成され起動された場合（ｓｉｍｕｌｔａｎｅｏｕｓＰＵＣＣＨ−ＰＵＳＣＨの構成に関わらず）、ＰＣｅｌｌ用のタイプ２電力ヘッドルームの値を獲得し、及び／又は物理層から対応するＰＣＭＡＸ，ｃフィールドの値を獲得し、Ｍｕｌｔｉｐｌｅｘｉｎｇ及びＡｓｓｅｍｂｌｙ手続きに命令し、物理層によってレポートされた値に基づいて、ｅｘｔｅｎｄｅｄＰＨＲ用のＥｘｔｅｎｄｅｄ  ＰＨＲ  ＭＡＣ制御要素を生成し送信することを少なくとも実行する。
【０１２６】
もしくは（その他）ｅｘｔｅｎｄｅｄＰＨＲ２が構成された場合、構成済みアップリンクを備えた起動済みＳｅｒｖｉｎｇ  Ｃｅｌｌに対して、Ｔｙｐｅ１電力ヘッドルームの値を獲得し、ＭＡＣエンティティがこのＴＴＩ用のこのＳｅｒｖｉｎｇ  Ｃｅｌｌ上の通信に割り当てたＵＬリソースを有する場合、物理層から対応するＰＣＭＡＸ，ｃフィールドの値を獲得する。もしくは（その他）ＰＵＣＣＨ  ＳＣｅｌｌが構成され起動された場合、又はアップリンクを備えた少なくとも１つのＬＡＡセルが構成され起動された場合（ｓｉｍｕｌｔａｎｅｏｕｓＰＵＣＣＨ−ＰＵＳＣＨの構成に関わらず）、ＰＣｅｌｌ及びＰＵＣＣＨ  ＳＣｅｌｌ用のタイプ２電力ヘッドルームの値を獲得し（構成され起動された場合）、及び／又は物理層から対応するＰＣＭＡＸ，ｃフィールドの値を獲得することを少なくとも実行し、その他、ｓｉｍｕｌｔａｎｅｏｕｓＰＵＣＣＨ−ＰＵＳＣＨがＰＣｅｌｌ用に構成された場合、ＰＣｅｌｌ用のタイプ２電力ヘッドルームの値を獲得し、及び／又は物理層から物理層から対応するＰＣＭＡＸ，ｃフィールドの値を獲得することを少なくとも実行する。ＵＥは、Ｍｕｌｔｉｐｌｅｘｉｎｇ及びＡｓｓｅｍｂｌｙ手続きに命令し、物理層によってレポートされた値に基づいて、ＭＡＣエンティティ用の構成済みＳｅｒｖＣｅｌｌＩｎｄｅｘ及びＰＵＣＣＨに従って、ｅｘｔｅｎｄｅｄＰＨＲ２用のＥｘｔｅｎｄｅｄ  ＰＨＲ  ＭＡＣ制御要素を生成し送信してもよい。
【０１２７】
もしくは（その他）ｄｕａｌＣｏｎｎｅｃｔｉｖｉｔｙＰＨＲが構成された場合、任意のＭＡＣエンティティに関連した構成済みアップリンクを備えた起動済みＳｅｒｖｉｎｇ  Ｃｅｌｌに対して、Ｔｙｐｅ１電力ヘッドルームの値を獲得し、このＭＡＣエンティティがこのＴＴＩ用のこのＳｅｒｖｉｎｇ  Ｃｅｌｌ上の通信に割り当てたＵＬリソースを有する場合、又は他のＭＡＣエンティティがこのＴＴＩ用のこのＳｅｒｖｉｎｇ  Ｃｅｌｌ上の通信に割り当てたＵＬリソースを有し、ｐｈｒ−ＭｏｄｅＯｔｈｅｒＣＧが上位層によってリアルに設定された場合、物理層から対応するＰＣＭＡＸ，ｃフィールドの値を獲得することを少なくとも実行し、ｓｉｍｕｌｔａｎｅｏｕｓＰＵＣＣＨ−ＰＵＳＣＨが構成された場合、又はアップリンクを備えた少なくとも１つのＬＡＡセルが構成され起動された場合（ｓｉｍｕｌｔａｎｅｏｕｓＰＵＣＣＨ−ＰＵＳＣＨの構成に関わらず）、ＳｐＣｅｌｌ用のタイプ２電力ヘッドルームの値を獲得し、物理層からＳｐＣｅｌｌ用の対応するＰＣＭＡＸ，ｃフィールドの値を獲得し、及び／又は他のＭＡＣエンティティのＳｐＣｅｌｌ用のタイプ２電力ヘッドルームの値を獲得することを少なくとも実行する。ｐｈｒ−ＭｏｄｅＯｔｈｅｒＣＧが上位層によってリアルに設定された場合、物理層から他のＭＡＣエンティティのＳｐＣｅｌｌ用の対応するＰＣＭＡＸ，ｃフィールドの値を獲得する。ＵＥ（例えば、ＭＡＣエンティティ）はＭｕｌｔｉｐｌｅｘｉｎｇ及びＡｓｓｅｍｂｌｙ手続きに命令し、物理層によってレポートされた値に基づいて、Ｄｕａｌ  Ｃｏｎｎｅｃｔｉｖｉｔｙ  ＰＨＲ  ＭＡＣ制御要素を生成し送信してもよい。その他、ＵＥは物理層からＴｙｐｅ１電力ヘッドルームの値を獲得し、及び／又はＭｕｌｔｉｐｌｅｘｉｎｇ及びＡｓｓｅｍｂｌｙ手続きに命令し、物理層によってレポートされた値に基づいて、ＰＨＲ  ＭＡＣ制御要素を生成し送信することを少なくとも実行してもよい。
【０１２８】
ＰＨＲが送信されたとき、ＵＥはｐｅｒｉｏｄｉｃＰＨＲ−Ｔｉｍｅｒを開始又は再開し、ｐｒｏｈｉｂｉｔＰＨＲ−Ｔｉｍｅｒを開始又は再開し、及び／又は全ての起動済みＰＨＲを取り消してもよい。
【０１２９】
少なくとも２タイプのＵＥ電力ヘッドルームレポートであるＴｙｐｅ１とＴｙｐｅ２があってもよい。ＵＥ電力ヘッドルームＰＨはサービングセルｃ用のサブフレームｉに対して有効であってもよい。
【０１３０】
ＵＥがＳＣＧと共に構成された場合、及びＣＧ用の上位層パラメータｐｈｒ−ＭｏｄｅＯｔｈｅｒＣＧ−ｒ１２がそのＣＧ上に送信された電力ヘッドルームレポートに対して「バーチャル」を示す場合、ＵＥは他のＣＧの任意のサービングセル上にＰＵＳＣＨ／ＰＵＣＣＨを送信しないと仮定してＰＨを計算してもよい。
【０１３１】
ＵＥがＳＣＧと共に構成され、ＭＣＧに属しているセルの電力ヘッドルームを計算する場合、用語「サービングセル」はＭＣＧに属しているサービングセルを指してもよい。ＳＣＧに属しているセルの電力ヘッドルームを計算する場合、用語「サービングセル」はＳＣＧに属しているサービングセルを指してもよい。用語「一次セル」はＳＣＧのＰＳＣｅｌｌを指してもよい。ＵＥがＰＵＣＣＨ  ＳＣｅｌｌと共に構成され、一次ＰＵＣＣＨ群に属しているセルの電力ヘッドルームを計算する場合、用語「サービングセル」は一次ＰＵＣＣＨ群に属しているサービングセルを指してもよい。二次ＰＵＣＣＨ群に属しているセルの電力ヘッドルームを計算する場合、用語「サービングセル」は二次ＰＵＣＣＨ群に属しているサービングセルを指してもよい。用語「一次セル」は二次ＰＵＣＣＨ群のＰＵＣＣＨ−ＳＣｅｌｌを指してもよい。
【０１３２】
一例のＴｙｐｅ１とＴｙｐｅ２電力ヘッドルーム計算をここで提示する。例のパラメータ及び例の計算方法は、対応するＬＴＥリリースの標準文書３ＧＰＰ  ＴＳ３６．２１３標準文書に提示されている。
【０１３３】
Ｔｙｐｅ１：ＵＥがサービングセルｃ用のサブフレームｉ内のＰＵＣＣＨなしでＰＵＳＣＨを送信する場合、Ｔｙｐｅ１レポート用の電力ヘッドルームは次式を用いて計算してもよい。
【０１３４】
ＰＨｔｙｐｅ１，ｃ（ｉ）＝ＰＣＭＡＸ，ｃ（ｉ）−｛１０ｌｏｇ１０（ＭＰＵＳＣＨ，ｃ（ｉ））＋ＰＯ＿ＰＵＳＣＨ，ｃ（ｊ）＋αｃ（ｊ）・ＰＬｃ＋ΔＴＦ，ｃ（ｉ）＋ｆｃ（ｉ）｝［ｄＢ］
【０１３５】
ここで、例ＰＣＭＡＸ，ｃ（ｉ）、ＭＰＵＳＣＨ，ｃ（ｉ）、ＰＯ＿ＰＵＳＣＨ，ｃ（ｊ）、αｃ（ｊ）、ＰＬｃ、ΔＴＦ，ｃ（ｉ）及びｆｃ（ｉ）は次のように定義してもよい。ＰＣＭＡＸ，ｃ（ｉ）はサービングセルｃのサブフレームｉ内の構成済みＵＥ送信電力であってもよく、
【数１】
2019519986.tif 000003
はＰＣＭＡＸ，ｃ（ｉ）のリニア値であってもよい。ＭＰＵＳＣＨ，ｃ（ｉ）は、サブフレームｉ及びサービングセルｃに対して有効なリソースブロック数で表現されたＰＵＳＣＨリソース割当ての帯域幅であってもよい。Ｐｏ＿ＰＵＳＣＨ，ｃ（ｊ）はＲＲＣ構成パラメータを用いて構成してもよい。ＵＥがサービングセルｃの上位層パラメータＵｐｌｉｎｋＰｏｗｅｒＣｏｎｔｒｏｌＤｅｄｉｃａｔｅｄ−ｖ１２ｘ０と共に構成された場合、及びサブフレームｉが上位層パラメータｔｐｃ−ＳｕｂｆｒａｍｅＳｅｔ−ｒ１２によって示されているように、アップリンク電力制御サブフレーム設定２に属している場合。ｊ＝０又は１に対して、αｃ（ｊ）＝αｃ，２∈｛０，０．４，０．５，０．６，０．７，０．８，０．９，１｝。αｃ，２は各サービングセルｃの上位層によって提供されたパラメータａｌｐｈａ−ＳｕｂｆｒａｍｅＳｅｔ２−ｒ１２である。ｊ＝２の場合、αｃ（ｊ）＝１。もしくは：ｊ＝０又は１の場合、αｃ∈｛０，０．４，０．５，０．６，０．７，０．８，０．９，１｝はサービングセルｃの上位層によって提供された３ビットパラメータであってもよい。ｊ＝２の場合、αｃ（ｊ）＝１；ＰＬｃは、ｄＢ単位のサービングセルｃのＵＥ内で計算したダウンリンクパスロス推定値であってもよく、ＰＬｃ＝ｒｅｆｅｒｅｎｃｅＳｉｇｎａｌＰｏｗｅｒ−上位層フィルタ処理済みＲＳＲＰであり、ここで、ｒｅｆｅｒｅｎｃｅＳｉｇｎａｌＰｏｗｅｒは上位層によって提供され、ＲＳＲＰは基準サービングセル用であり、上位層フィルタ構成は基準サービングセル用である；ＫＳ＝１．２５の場合は
【数２】
2019519986.tif 000004
であり、ＫＳ＝０の場合は０であり、ここで、ＫＳは各サービングセルｃに対して上位層によって提供されたパラメータｄｅｌｔａＭＣＳ−Ｅｎａｂｌｅｄによって与えられる。各サービングセルｃのＢＰＲＥと
【数３】
2019519986.tif 000005
は下記のように計算される。通信モード２の場合はＫＳ＝０。；ｆ（ｉ）は電力制御コマンドの関数であってもよい。
【０１３６】
ＰＬｃは、例えば、ｄＢ単位のサービングセルｃのＵＥ内で計算したダウンリンクパスロス推定値であり、ＰＬｃ＝ｒｅｆｅｒｅｎｃｅＳｉｇｎａｌＰｏｗｅｒ−上位層フィルタ処理済みＲＳＲＰであり、ここで、ｒｅｆｅｒｅｎｃｅＳｉｇｎａｌＰｏｗｅｒは上位層によって提供される。ＵＥは、１つ以上のパスロス基準セル上で受信した信号を用いる１つ以上のパスロス値を測定してもよい。パスロス基準セルはサービングセルに対して構成してもよい。ＵＥはＰＬｃを計算してもよく、Ｔｙｐｅ１及びタイプ２電力ヘッドルームフィールドの計算用に１つ以上のパスロス値（ＰＬｃ）を用いてもよい。サービングセルｃが一次セルを含むＴＡＧに属している場合、一次セルのアップリンクに対して、一次セルはｒｅｆｅｒｅｎｃｅＳｉｇｎａｌＰｏｗｅｒ及び上位層フィルタ処理済みＲＳＲＰを決定するための基準サービングセルとして用いてもよい。二次セルのアップリンクの場合、上位層パラメータｐａｔｈｌｏｓｓＲｅｆｅｒｅｎｃｅＬｉｎｋｉｎｇによって構成されたサービングセルは基準サービングセルとして用いられ、ｒｅｆｅｒｅｎｃｅＳｉｇｎａｌＰｏｗｅｒ及び上位層フィルタ処理済みＲＳＲＰを決定してもよい。サービングセルｃがＰＳＣｅｌｌを含むＴＡＧに属している場合、ＰＳＣｅｌｌのアップリンクに対して、ＰＳＣｅｌｌは基準サービングセルとして用いられ、ｒｅｆｅｒｅｎｃｅＳｉｇｎａｌＰｏｗｅｒ及び上位層フィルタ処理済みＲＳＲＰを決定してもよい。ＰＳＣｅｌｌ以外の二次セルのアップリンクの場合、上位層パラメータｐａｔｈｌｏｓｓＲｅｆｅｒｅｎｃｅＬｉｎｋｉｎｇによって構成されたサービングセルは基準サービングセルとして用いられ、ｒｅｆｅｒｅｎｃｅＳｉｇｎａｌＰｏｗｅｒ及び上位層フィルタ処理済みＲＳＲＰを決定してもよい。
【０１３７】
ＵＥがサービングセルｃのサブフレームｉ内でＰＵＣＣＨと共にＰＵＳＣＨを送信する場合、Ｔｙｐｅ１レポートの電力ヘッドルームは次式を用いて計算してもよい。
【０１３８】
【数４】
2019519986.tif 000006
【０１３９】
【数５】
2019519986.tif 000007
はサブフレームｉ内でＰＵＳＣＨのみの通信を仮定して計算してもよい。この場合、物理層はＰＣＭＡＸ，ｃ（ｉ）の代わりに
【数６】
2019519986.tif 000008
を上位層に送出してもよい。ＵＥがサービングセルｃのサブフレームｉ内でＰＵＳＣＨを送信しない場合、Ｔｙｐｅ１レポートの電力ヘッドルームは次式を用いて計算してもよい。
【０１４０】
【数７】
2019519986.tif 000009
【０１４１】
ここで、例
【数８】
2019519986.tif 000010
はＭＰＲ＝０ｄＢ、Ａ−ＭＰＲ＝０ｄＢ、Ｐ−ＭＰＲ＝０ｄＢ及びＴＣ＝０ｄＢを仮定して計算してもよい。
【０１４２】
Ｔｙｐｅ２：ＵＥが一次セルのサブフレームｉ内でＰＵＣＣＨと同時にＰＵＳＣＨを送信する場合、タイプ２レポートの電力ヘッドルームは次式を用いて計算される。
【０１４３】
【数９】
2019519986.tif 000011
【０１４４】
ＵＥが一次セルのサブフレームｉ内でＰＵＣＣＨなしでＰＵＳＣＨを送信する場合、Ｔｙｐｅ２レポートの電力ヘッドルームは次式を用いて計算される。
【０１４５】
【数１０】
2019519986.tif 000012
【０１４６】
ここで、例ＰＣＭＡＸ，ｃ（ｉ）、ＭＰＵＳＣＨ，ｃ（ｉ）、ＰＯ＿ＰＵＳＣＨ，ｃ（ｊ）、αｃ（ｊ）、ΔＴＦ，ｃ（ｉ）及びｆｃ（ｉ）は一次セルパラメータであってもよい。ＵＥが一次セルのサブフレームｉ内でＰＵＳＣＨなしでＰＵＣＣＨを送信する場合、Ｔｙｐｅ２レポートの電力ヘッドルームは次式を用いて計算される。
【０１４７】
【数１１】
2019519986.tif 000013
【０１４８】
ここで、例ＰＯ＿ＰＵＳＣＨ，ｃ（１）、αｃ（１）及びｆｃ（１）は一次セルパラメータである。ＵＥが一次セルのサブフレームｉ内でＰＵＣＣＨ又はＰＵＳＣＨを送信しない場合、Ｔｙｐｅ２レポートの電力ヘッドルームは次式を用いて計算される。
【０１４９】
【数１２】
2019519986.tif 000014
【０１５０】
ここで、例
【数１３】
2019519986.tif 000015
はＭＰＲ＝０ｄＢ、Ａ−ＭＰＲ＝０ｄＢ、Ｐ−ＭＰＲ＝０ｄＢ及びＴＣ＝０ｄＢを仮定して計算してもよく、ＰＯ＿ＰＵＳＣＨ，ｃ（１）、αｃ（１）及びｆｃ（１）は一次セルパラメータである。以降の条件を用いて（Ｅ）ＰＤＣＣＨの検出時に、Ｔｙｐｅ２レポートの電力ヘッドルームを生成する前に、一次セルのサブフレーム内で、ＰＤＳＣＨ通信に対応するＰＵＣＣＨ通信があるかどうか、又はどのＰＵＣＣＨリソースが用いられているかをＵＥが決定できない場合：（１）チャネル選択を備えたＰＵＣＣＨフォーマット１ｂとｓｉｍｕｌｔａｎｅｏｕｓＰＵＣＣＨ−ＰＵＳＣＨが両方ともＵＥに対して構成された場合、又は（２）チャネル選択を備えたＰＵＣＣＨフォーマット１ｂが、ＰＵＣＣＨフォーマット３と共に構成したＵＥのＨＡＲＱ−ＡＣＫフィードバック用に用いられ、ｓｉｍｕｌｔａｎｅｏｕｓＰＵＣＣＨ−ＰＵＳＣＨが構成された場合、ＵＥは次式を用いてＴｙｐｅ２の電力ヘッドルームを計算することを許可されてもよい。
【０１５１】
【数１４】
2019519986.tif 000016
【０１５２】
ここで、例ＰＣＭＡＸ，ｃ（ｉ）、ＭＰＵＳＣＨ，ｃ（ｉ）、ＰＯ＿ＰＵＳＣＨ，ｃ（ｊ）、αｃ（ｊ）、ΔＴＦ，ｃ（ｉ）及びｆｃ（ｉ）は一次セルパラメータである。
【０１５３】
電力ヘッドルームは、１ｄＢのステップで範囲［４０；−２３］内の最も近い値に丸めてもよく、物理層によって上位層に送出される。ＵＥがサービングセルｃの上位層パラメータＵｐｌｉｎｋＰｏｗｅｒＣｏｎｔｒｏｌＤｅｄｉｃａｔｅｄ−ｖ１２ｘ０と共に構成された場合、及びサブフレームｉが上位層パラメータｔｐｃ−ＳｕｂｆｒａｍｅＳｅｔ−１２によって示されているように、アップリンク電力制御サブフレーム設定２に属している場合、ＵＥはｆｃ（ｉ）の代わりにｆｃ，２（ｉ）を用いて、サブフレームｉ及びサービングセルｃのＰＨｔｙｐｅ１，ｃ（ｉ）とＰＨｔｙｐｅ２，ｃ（ｉ）計算してもよい。
【０１５４】
一例の実施形態では、ｅｘｔｅｎｄｅｄＰＨＲに対して、Ｅｘｔｅｎｄｅｄ  Ｐｏｗｅｒ  Ｈｅａｄｒｏｏｍ  Ｒｅｐｏｒｔ（ＰＨＲ）ＭＡＣ制御要素は、ＬＣＩＤを備えたＭＡＣ  ＰＤＵサブヘッダによって識別されてもよい。それは可変サイズを有してもよい。Ｔｙｐｅ２  ＰＨがレポートされたとき、Ｔｙｐｅ２  ＰＨフィールドを含むオクテットは、まずＳＣｅｌｌ毎にＰＨの存在を示すオクテットの後に含まれ、関連のＰＣＭＡＸ，ｃフィールドを含む（レポートされた場合）オクテットが続いてもよい。その後、ＳｅｒｖＣｅｌｌＩｎｄｅｘに基づく昇順で、ビットマップ内に示されたＰＣｅｌｌに対して及び各ＳＣｅｌｌに対して、Ｔｙｐｅ１  ＰＨフィールドを備えたオクテット、及び関連のＰＣＭＡＸ，ｃフィールド（レポートされた場合）を備えたオクテットに続く。
【０１５５】
ｅｘｔｅｎｄｅｄＰＨＲ２の場合、Ｅｘｔｅｎｄｅｄ  Ｐｏｗｅｒ  Ｈｅａｄｒｏｏｍ  Ｒｅｐｏｒｔ（ＰＨＲ）ＭＡＣ制御要素は、ＬＣＩＤを備えたＭＡＣ  ＰＤＵサブヘッダによって識別される。それらは可変サイズを有する。構成済みアップリンクを備えたＳＣｅｌｌの最高ＳＣｅｌｌＩｎｄｅｘが８未満であるか、もしくは４つのオクテットが用いられているとき、Ｃフィールドを備えた１つのオクテットはＳＣｅｌｌ毎にＰＨの存在を示すために用いられる。Ｔｙｐｅ２  ＰＨがＰＣｅｌｌに対してレポートされたとき、Ｔｙｐｅ２  ＰＨフィールドを含むオクテットは、まずＳＣｅｌｌ毎にＰＨの存在を示すオクテットの後に含まれ、関連のＰＣＭＡＸ，ｃフィールドを含む（レポートされた場合）オクテットが続いてもよい。その後、ＰＵＣＣＨ  ＳＣｅｌｌのＴｙｐｅ２  ＰＨフィールドに続き（ＳＣｅｌｌ上のＰＵＣＣＨが構成され、Ｔｙｐｅ２  ＰＨがＰＵＣＣＨ  ＳＣｅｌｌに対してレポートされた場合）、関連のＰＣＭＡＸ，ｃフィールドを含むオクテットが続く（レポートされた場合）。その後、ＳｅｒｖＣｅｌｌＩｎｄｅｘに基づく昇順で、ビットマップ内に示されたＰＣｅｌｌに対して及び各ＳＣｅｌｌに対して、Ｔｙｐｅ１  ＰＨフィールドを備えたオクテット、及び関連のＰＣＭＡＸ，ｃフィールド（レポートされた場合）を備えたオクテットが続く。
【０１５６】
一例の実施形態では、Ｅｘｔｅｎｄｅｄ  ＰＨＲ  ＭＡＣ制御要素は次のように定義してもよい。Ｃｉ：このフィールドはＳＣｅｌｌＩｎｄｅｘ  ｉを備えたＳＣｅｌｌのＰＨフィールドの存在を示す。「１」に設定したＣｉフィールドは、ＳＣｅｌｌＩｎｄｅｘ  ｉを備えたＳＣｅｌｌのＰＨフィールドがレポートされていることを示す。「０」に設定したＣｉフィールドは、ＳＣｅｌｌＩｎｄｅｘ  ｉを備えたＳＣｅｌｌのＰＨフィールドがレポートされていないことを示す。Ｒ：「０」に設定される予約ビット。Ｖ：このフィールドは、ＰＨ値がリアル通信又は基準フォーマットに基づく場合を示す。Ｔｙｐｅ１  ＰＨの場合、Ｖ＝０はＰＵＳＣＨ上のリアル通信を示し、Ｖ＝１はＰＵＳＣＨ基準フォーマットが用いられていることを示す。Ｔｙｐｅ２  ＰＨの場合、Ｖ＝０はＰＵＣＣＨ上のリアル通信を示し、Ｖ＝１はＰＵＣＣＨ基準フォーマットが用いられていることを示す。更に、Ｔｙｐｅ１  ＰＨとＴｙｐｅ２  ＰＨの両方の場合、Ｖ＝０は関連のＰＣＭＡＸ，ｃフィールドを含むオクテットの存在を示し、Ｖ＝１は関連のＰＣＭＡＸ，ｃを含むオクテットが省略されていることを示す。Ｐｏｗｅｒ  Ｈｅａｄｒｏｏｍ（ＰＨ）：このフィールドは電力ヘッドルームレベルを示す。フィールドの長さは６ビットである。レポート済みＰＨ及び対応する電力ヘッドルームは事前に定義してもよい。Ｐ：このフィールドは、ＭＡＣエンティティが電力管理のために（Ｐ−ＭＰＲｃによって許可されるように）パワーバックオフに当てはまるかどうかを示す。対応するＰＣＭＡＸ，ｃフィールドが異なる値を有する場合、及び電源管理によるパワーバックオフに当てはまらない場合、ＭＡＣエンティティはＰ＝１を設定してもよい。
【０１５７】
ＰＣＭＡＸ，ｃ：存在する場合、このフィールドは前のＰＨフィールドの計算に用いたＰＣＭＡＸ，ｃ又は
【数１５】
2019519986.tif 000017
を示す。レポート済みＰＣＭＡＸ，ｃ及び対応する公称ＵＥ通信電力レベルは事前に定義してもよい。
一例の実施形態では、Ｄｕａｌ  Ｃｏｎｎｅｃｔｉｖｉｔｙ  Ｐｏｗｅｒ  Ｈｅａｄｒｏｏｍ  Ｒｅｐｏｒｔ（ＰＨＲ）ＭＡＣ制御要素は、ＬＣＩＤを備えたＭＡＣ  ＰＤＵサブヘッダによって識別される。それは可変サイズを有してもよい。構成済みアップリンクを備えたＳＣｅｌｌの最高ＳＣｅｌｌＩｎｄｅｘが８未満であるか、もしくは４つのオクテットが用いられているとき、Ｃｉフィールドを備えた１つのオクテットがＳＣｅｌｌ毎にＰＨの存在を示すために用いられる。Ｔｙｐｅ２  ＰＨがＰＣｅｌｌに対してレポートされたとき、Ｔｙｐｅ２  ＰＨフィールドを含むオクテットは、まずセル（全てのＭＡＣエンティティのＰＳＣｅｌｌ及び全てのＳＣｅｌｌ）毎にＰＨの存在を示すオクテットの後に含まれ、関連のＰＣＭＡＸ，ｃフィールドを含む（レポートされた場合）オクテットが続いてもよい。その後、Ｔｙｐｅ２  ＰＨがＰＳＣｅｌｌに対してレポートされたとき、Ｔｙｐｅ２  ＰＨフィールドを含むオクテットが含められ、関連のＰＣＭＡＸ，ｃフィールド（レポートされた場合）を含むオクテットが続く。その後、ＳｅｒｖＣｅｌｌＩｎｄｅｘに基づく昇順で、ビットマップ内に示された全てのＭＡＣエンティティのＰＣｅｌｌに対して及び全ての他のサービングセルに対して、Ｔｙｐｅ１  ＰＨフィールドを備えたオクテット、及び関連のＰＣＭＡＸ，ｃフィールド（レポートされた場合）を備えたオクテットに続く。
【０１５８】
一例では、Ｄｕａｌ  Ｃｏｎｎｅｃｔｉｖｉｔｙ  ＰＨＲ  ＭＡＣ制御要素は次のように定義してもよい。Ｃｉ：このフィールドはＳＣｅｌｌＩｎｄｅｘ  ｉを備えたＰＣｅｌｌを除く、任意のＭＡＣエンティティのサービングセルのＰＨフィールドの存在を示す。「１」に設定したＣｉフィールドは、ＳＣｅｌｌＩｎｄｅｘ  ｉを備えたサービングセルのＰＨフィールドがレポートされていることを示す。「０」に設定したＣｉフィールドは、ＳＣｅｌｌＩｎｄｅｘ  ｉを備えたサービングセルのＰＨフィールドがレポートされていないことを示す。Ｒ：「０」に設定される予約ビットＶ：このフィールドはＰＨ値がリアル通信又は基準フォーマットに基づく場合を示す。Ｔｙｐｅ１  ＰＨの場合、Ｖ＝０はＰＵＳＣＨ上のリアル通信を示し、Ｖ＝１はＰＵＳＣＨ基準フォーマットが用いられていることを示す。Ｔｙｐｅ２  ＰＨの場合、Ｖ＝０はＰＵＣＣＨ上のリアル通信を示し、Ｖ＝１はＰＵＣＣＨ基準フォーマットが用いられていることを示す。更に、Ｔｙｐｅ１  ＰＨとＴｙｐｅ２  ＰＨの両方の場合、Ｖ＝０は関連のＰＣＭＡＸ，ｃフィールドを含むオクテットの存在を示し、Ｖ＝１は関連のＰＣＭＡＸ，ｃを含むオクテットが省略されていることを示す。Ｐｏｗｅｒ  Ｈｅａｄｒｏｏｍ（ＰＨ）：このフィールドは電力ヘッドルームレベルを示す。フィールドの長さは６ビットである。レポート済みＰＨ及び対応する電力ヘッドルームレベルは表１に示されている。Ｐ：このフィールドは、電力管理によるパワーバックオフに当てはまるかどうか（Ｐ−ＭＰＲｃによって許可されるように）を示す。対応するＰＣＭＡＸ，ｃフィールドが異なる値を有していた場合、及び電力管理によるパワーバックオフに当てはまらなかった場合、ＭＡＣエンティティはＰ＝１に設定してもよい。ＰＣＭＡＸ，ｃ：存在する場合、このフィールドは前のＰＨフィールドの計算に用いたＰＣＭＡＸ，ｃ又は
【数１６】
2019519986.tif 000018
を示す。レポート済みＰＣＭＡＸ，ｃ及び対応する公称ＵＥ送信電力レベルは事前に定義してもよい。
【０１５９】
様々な実施形態に従って、例えば、無線デバイス、基地局、ネットワークエンティティ等のデバイスは、１つ以上のプロセッサ及びメモリを備えていてもよい。メモリは、１つ以上のプロセッサによって実行されたとき、デバイスに一連の動作を実行させる命令を記憶してもよい。例の動作の実施形態は、添付の図面及び明細書に示されている。様々な実施形態からの特徴を組み合わせて、更に別の実施形態を生成してもよい。
【０１６０】
図１は、本開示内容の一実施形態のとおりの一例のフロー図である。１４１０において、無線デバイスは少なくとも１つのメッセージを受信してもよい。少なくとも１つのメッセージは、複数のセルの構成パラメータを備えていてもよい。複数のセルは、一次セルと１つ以上の二次セルを備えていてもよい。アクティブ化／非アクティブ化（Ａ／Ｄ）メディアアクセス制御の制御要素（ＭＡＣ  ＣＥ）は１４２０において受信してもよい。Ａ／Ｄ  ＭＡＣ  ＣＥは１つ以上の二次セルの少なくとも１つの起動を示してもよい。電力ヘッドルーム（ＰＨＲ）ＭＡＣ  ＣＥは１４３０において送信してもよい。ＰＨＲ  ＭＡＣ  ＣＥは、アップリンクを備えた少なくとも１つのライセンス補助アクセス（ＬＡＡ）セルを備える１つ以上の二次セルに応じて、一次セルのＴｙｐｅ２電力ヘッドルームを備えていてもよい。少なくとも１つのＬＡＡセルを構成し起動してもよい。
【０１６１】
一実施形態によると、ＰＨＲ  ＭＡＣ  ＣＥは更に、一次セルのＴｙｐｅ１電力ヘッドルームフィールドを備えていてもよい。一実施形態によると、ＰＨＲ  ＭＡＣ  ＣＥは、同時物理的アップリンク制御チャネル（ＰＵＣＣＨ）及び物理的アップリンク共有チャネル（ＰＵＳＣＨ）が構成されていることに応じて、Ｔｙｐｅ２電力ヘッドルームフィールドを備えていてもよい。一実施形態によると、ＰＨＲ  ＭＡＣ  ＣＥは、１つ以上の二次セルが少なくとも１つの物理的アップリンク制御チャネル（ＰＵＣＣＨ）を備え、二次セルが構成され起動されていることに応じて、Ｔｙｐｅ２電力ヘッドルームフィールドを備えていてもよい。一実施形態によると、少なくとも１つのメッセージは、拡張ＰＨＲが構成されていることを示す少なくとも１つのパラメータを備えていてもよい。一実施形態によると、少なくとも１つのパラメータは更に、同時ＰＵＣＣＨ通信及び物理的アップリンク共有チャネル通信が一次セルに対して構成されているかどうかを示す第１情報要素を備えていてもよい。一実施形態によると、無線デバイスは更に、ＰＵＣＣＨの決定済み電力とＰＵＳＣＨの決定済み電力とを用いて、Ｔｙｐｅ２電力ヘッドルームフィールドのＴｙｐｅ２電力ヘッドルームレベルを決定してもよい。加えて、無線デバイスは更に、ＰＵＳＨの計算済み電力を用いてＴｙｐｅ１電力ヘッドルームフィールドのＴｙｐｅ１電力ヘッドルームレベルを決定してもよい。一実施形態によると、無線デバイスは更に、パスロス基準の信号を測定することによって測定値を獲得してもよい。Ｔｙｐｅ２電力ヘッドルームフィールドのＴｙｐｅ２電力ヘッドルームレベルの計算は測定値を用いてもよい。一実施形態によると、ＰＨＲ  ＭＡＣ  ＣＥは、少なくとも１つのアップリンクパケットスケジューリング又はアップリンク電力制御用に基地局によって用いられてもよい。
【０１６２】
一実施形態によると、無線デバイスは更に、Ａ／Ｄ  ＭＡＣ  ＣＥに従って、１つ以上の二次セル内の少なくとも１つの二次セルを起動又は停止してもよい。一実施形態によると、Ａ／Ｄ  ＭＡＣ  ＣＥ内のビットは、対応する二次セルが構成されていることに応じて、対応する二次セルのアクティブ化／非アクティブ化状態を示してもよい。一実施形態によると、Ａ／Ｄ  ＭＡＣ  ＣＥ内のビットは、そのビットが１に設定されていることと、対応する二次セルが構成されていることに応じて、対応する二次セルが起動されていることを示してもよい。
【０１６３】
図２は、本開示内容の一実施形態のとおりの一例のフロー図である。１５１０において、無線デバイスは少なくとも１つのメッセージを受信してもよい。少なくとも１つのメッセージは、複数のセルの構成パラメータを備えていてもよい。複数のセルは、一次セルと１つ以上の二次セルを備えていてもよい。電力ヘッドルーム（ＰＨＲ）ＭＡＣ  ＣＥは１５２０において送信してもよい。ＰＨＲ  ＭＡＣ  ＣＥは、１つ以上の二次セルがアップリンクを備えた少なくとも１つのライセンス補助アクセス（ＬＡＡ）セルを備えることに応じて、一次セルのＴｙｐｅ２電力ヘッドルームフィールドを備えていてもよい。少なくとも１つのＬＡＡセルを構成し起動してもよい。
【０１６４】
一実施形態によるとＰＨＲ  ＭＡＣ  ＣＥは更に、一次セルのＴｙｐｅ１電力ヘッドルームフィールドを備えていてもよい。一実施形態によると、ＰＨＲ  ＭＡＣ  ＣＥは、同時物理的アップリンク制御チャネル（ＰＵＣＣＨ）と物理的アップリンク共有チャネル（ＰＵＳＣＨ）が構成されていることに応じて、Ｔｙｐｅ２電力ヘッドルームフィールドを備えていてもよい。一実施形態によると、ＰＨＲ  ＭＡＣ  ＣＥは、１つ以上の二次セルが少なくとも１つの物理的アップリンク制御チャネル（ＰＵＣＣＨ）を備え、二次セルが構成され起動されていることに応じて、Ｔｙｐｅ２電力ヘッドルームフィールドを備えていてもよい。一実施形態によると、少なくとも１つのメッセージは、拡張ＰＨＲが構成されていることを示す少なくとも１つのパラメータを備えていてもよい。一実施形態によると、少なくとも１つのメッセージは更に、同時ＰＵＣＣＨ通信及び物理的アップリンク共有チャネル通信が一次セルに対して構成されているかどうかを示す第１情報要素を備えていてもよい。一実施形態によると、無線デバイスは更に、ＰＵＣＣＨの決定済み電力とＰＵＳＣＨの決定済み電力とを用いて、Ｔｙｐｅ２電力ヘッドルームフィールドのＴｙｐｅ２電力ヘッドルームレベルを決定してもよい。加えて、無線デバイスは更に、ＰＵＳＨの計算済み電力を用いて、Ｔｙｐｅ１電力ヘッドルームフィールドのＴｙｐｅ１電力ヘッドルームレベルを決定してもよい。一実施形態によると、無線デバイスは更に、パスロス基準の信号を測定することによって測定値を獲得してもよい。Ｔｙｐｅ２電力ヘッドルームフィールドのＴｙｐｅ２電力ヘッドルームレベルの計算は測定値を用いてもよい。一実施形態によると、ＰＨＲ  ＭＡＣ  ＣＥは、少なくとも１つのパケットスケジューリング又はアップリンク電力制御用に基地局によって用いられてもよい。
【０１６５】
本明細書では、「ａ」と「ａｎ」及び同様の語句は「少なくとも１つ」及び「１つ以上」として解釈される。本明細書では、用語「ｍａｙ」は「例えば、〜であってもよい」として解釈される。言い換えると、用語「ｍａｙ」は、用語「ｍａｙ」に続く語句が複数の適切な可能性の１つの例であり、様々な実施形態の１つ以上に対して用いられても用いられなくてもよいことを示す。ＡとＢが集合であり、Ａのあらゆる要素がＢの要素でもある場合、ＡはＢの部分集合と呼ばれ、本明細書では、空ではない集合及び部分集合のみが考慮される。例えば、Ｂ＝｛セル１，セル２｝の可能な部分集合は、｛セル１｝、｛セル２｝及び｛セル１，セル２｝である。
【０１６６】
本明細書では、パラメータ｛情報要素：ＩＥ｝は１つ以上のオブジェクトを備えていてもよく、それらのオブジェクトはそれぞれ１つ以上の他のオブジェクトを備えていてもよい。例えば、パラメータ（ＩＥ）Ｎがパラメータ（ＩＥ）Ｍを備え、パラメータ（ＩＥ）Ｍがパラメータ（ＩＥ）Ｋを備え、パラメータ（ＩＥ）Ｋがパラメータ（情報要素）Ｊを備えている場合、例えば、ＮはＫを備え、ＮはＪを備えている。一例の実施形態では、１つ以上のメッセージが複数のパラメータを備えているとき、複数のパラメータのあるパラメータは１つ以上のメッセージの少なくとも１つの中にあるが、１つ以上のメッセージのそれぞれの中にある必要はない。
【０１６７】
開示された実施形態で説明した要素の多くはモジュールとして実現してもよい。モジュールは、所定の機能を実行し、他の要素に対して所定のインターフェースを有する分離可能な要素としてここでは定義される。本開示内容で説明されるモジュールは、ハードウェア、ハードウェアと組み合わせたソフトウェア、ファームウェア、ウェットウェア（つまり、生物学的要素を備えたハードウェア）又はそれらの組合せで実現してもよく、それらは全て挙動的に等価である。例えば、モジュールは、ハードウェアマシンによって実行するように構成したコンピュータ言語（Ｃ、Ｃ＋＋、Ｆｏｒｔｒａｎ、Ｊａｖａ（登録商標）、Ｂａｓｉｃ、Ｍａｔｌａｂ等）で作成されたソフトウェアルーチン、もしくはＳｉｍｕｌｉｎｋ、Ｓｔａｔｅｆｌｏｗ、ＧＮＵ、Ｏｃｔａｖｅ、又はＬａｂＶＩＥＷＭａｔｈＳｃｒｉｐｔ等のモデリング／シミュレーションプログラムとして実現してもよい。加えて、個別又はプログラム可能アナログ、デジタル及び／又は量子ハードウェアを含む物理的ハードウェアを用いてモジュールを実現可能であってもよい。プログラム可能なハードウェアの例は、コンピュータ、マイクロコントローラ、マイクロプロセッサ、特定用途向け集積回路（ＡＳＩＣ）、フィールドプログラム可能ゲートアレイ（ＦＰＧＡ）、及び複合プログラム可能論理デバイス（ＣＰＬＤ）を備える。コンピュータ、マイクロコントローラ及びマイクロプロセッサは、アセンブリ、Ｃ、Ｃ＋＋等の言語を用いてプログラムされる。ＦＰＧＡ、ＡＳＩＣ及びＣＰＬＤは、ＶＨＳＩＣハードウェア記述言語（ＶＨＤＬ）又はＶｅｒｉｌｏｇ等のハードウェア記述言語（ＨＤＬ）を用いてしばしばプログラムされ、内部ハードウェアモジュールと、プログラム可能デバイス上のより少ない機能との間の接続を構成する。最後に、上記の技術はしばしば組み合わせて用いられ、機能モジュールの結果を実現することを強調する必要がある。
【０１６８】
本特許文書の開示内容は、著作権保護に従う資料を含んでいる。著作権所有者は、法律によって要求される限定された目的のために、特許商標庁の特許ファイル又はレコードに現れるように、特許文書又は特許開示内容の任意のものによる複製に異存はないが、そうでなければ、いずれにせよ全ての著作権を保有している。
【０１６９】
様々な実施形態をこれまで説明してきたが、当然のことながら、それらは一例として提示され限定的なものではない。当業者には明らかなように、その精神及び範囲から逸脱することなく、形態及び詳細における様々な変化を行うことができる。実際、以上の説明を読んだ後、代わりの実施形態を実現する方法は当業者には明らかとなるであろう。したがって、本実施形態は、上記の典型的な実施形態のいずれによっても限定されるべきではない。特に、例のために、上記の説明はＬＡＡ通信システムを用いる例に焦点を当てたことにも注意すべきである。しかし、当業者は、１つ以上のＴＤＤセル（例えば、フレーム構造２及び／又はフレーム構造１）を備えるシステム内で、本開示内容の実施形態を実現してもよいことを認識するであろう。開示された方法及びシステムは無線又は有線システム内で実現してもよい。本開示内容に提示された様々な実施形態の特徴を組み合わせてもよい。１つの実施形態の１つ又は多くの特徴（方法又はシステム）は他の実施形態内で実現してもよい。様々な実施形態内で組み合わせて、拡張送受信システム及び方法を生成してもよい特徴の可能性を当業者に示すために、限られた数の例の組合せのみが示されている。
【０１７０】
加えて、当然のことながら、その機能性及び利点を強調する任意の図面は例のためだけに提示されている。開示されたアーキテクチャは十分にフレキシブルで構成可能であり、示したもの以外の方法で利用してもよい。例えば、任意のフロー図に列挙された動作は順番を変えても、いくつかの実施形態で任意選択的にのみ用いてもよい。
【０１７１】
更に、本開示内容の要約の目的は、米国特許商標庁及び一般的な人々、及び特別な科学者、技術者、もしくは特許又は法律用語又は表現に精通していない当業者が大まかな調査から、本出願の技術的開示内容の性質及び本質を決定可能にすることである。本開示内容の要約は、いずれにせよその範囲について限定するものではない。
【０１７２】
最後に、「の手段」又は「のステップ」という明確な言葉を含む請求項のみが米国特許法第１１２条の下で解釈されることが本出願人の意図である。用語「の手段」又は「のステップ」を明示的に含まない請求項は、米国特許法第１１２条の下では解釈されないものとする。
【図１】
2019519986.tif 000019
【図２】
2019519986.tif 000020
【図３】
2019519986.tif 000021
【図４】
2019519986.tif 000022
【図５Ａ】
2019519986.tif 000023
【図５Ｂ】
2019519986.tif 000024
【図５Ｃ】
2019519986.tif 000025
【図５Ｄ】
2019519986.tif 000026
【図６】
2019519986.tif 000027
【図７】
2019519986.tif 000028
【図８】
2019519986.tif 000029
【図９】
2019519986.tif 000030
【図１０】
2019519986.tif 000031
【図１１】
2019519986.tif 000032
【図１２】
2019519986.tif 000033
【図１３】
2019519986.tif 000034
【図１４】
2019519986.tif 000035
【図１５】
2019519986.tif 000036
【手続補正書】
【提出日】平成30年12月5日(2018.12.5)
【手続補正１】
【補正対象書類名】特許請求の範囲
【補正対象項目名】全文
【補正方法】変更
【補正の内容】
【特許請求の範囲】
【請求項１】
方法であって、
無線デバイス（４０６）によって、一次セル及び１つ以上の二次セルを含む複数のセルの構成パラメータを含む少なくとも１つのメッセージを受信することと、
電力ヘッドルームレポート媒体アクセス制御制御要素（ＰＨＲ  ＭＡＣ  ＣＥ）を送信することであって、前記ＰＨＲ  ＭＡＣ  ＣＥが、
前記１つ以上の二次セルが、アップリンクを有する少なくとも１つのライセンス補助アクセス（ＬＡＡ）セルを含むことと、
前記少なくとも１つのＬＡＡセルが、構成及びアクティブ化されていることと
に応答して、前記一次セルのためのＴｙｐｅ２電力ヘッドルームフィールドを含む、ことと
を含む、方法。
【請求項２】
前記ＰＨＲ  ＭＡＣ  ＣＥが、前記一次セルのためのＴｙｐｅ１電力ヘッドルームフィールドを更に含む、請求項１に記載の方法。
【請求項３】
前記ＰＨＲ  ＭＡＣ  ＣＥが、同時的な物理的アップリンク制御チャネル（ＰＵＣＣＨ）及び物理的アップリンク共有チャネル（ＰＵＳＣＨ）が構成されていることに応答して、前記Ｔｙｐｅ２電力ヘッドルームフィールドを含む、請求項１または請求項２に記載の方法。
【請求項４】
前記ＰＨＲ  ＭＡＣ  ＣＥが、少なくとも１つの物理的アップリンク制御チャネル（ＰＵＣＣＨ）二次セルを含む前記１つ以上の二次セルが構成及びアクティブ化されていることに応答して、前記Ｔｙｐｅ２電力ヘッドルームフィールドを含む、請求項１〜３のいずれか一項に記載の方法。
【請求項５】
前記少なくとも１つのメッセージが、拡張ＰＨＲが構成されていることを示す少なくとも１つのパラメータを含む、請求項１〜４のいずれか一項に記載の方法。
【請求項６】
前記少なくとも１つのメッセージが、同時的なＰＵＣＣＨ伝送及び物理的アップリンク共有チャネル伝送が前記一次セルについて構成されているか否かを示す第１の情報要素を更に含む、請求項１〜５のいずれか一項に記載の方法。
【請求項７】
ＰＵＣＣＨの決定された電力と、
ＰＵＳＣＨの決定された電力と
を使用して、前記Ｔｙｐｅ２電力ヘッドルームフィールドのためのＴｙｐｅ２電力ヘッドルームレベルを決定することと、
前記算出されたＰＵＳＣＨの電力を使用して、Ｔｙｐｅ１電力ヘッドルームフィールドのためのＴｙｐｅ１電力ヘッドルームレベルを決定することと
を更に含む、請求項１〜６のいずれか一項に記載の方法。
【請求項８】
パスロス基準の信号を測定することによって測定値を取得することを更に含み、前記Ｔｙｐｅ２電力ヘッドルームフィールドのためのＴｙｐｅ２電力ヘッドルームレベルの算出が前記測定値を使用する、請求項１〜７のいずれか一項に記載の方法。
【請求項９】
無線デバイス（４０６）であって、
１つ以上のプロセッサと、
複数の命令を記憶しているメモリと
を備え、
前記複数の命令が、前記１つ以上のプロセッサによって実行された時に、前記無線デバイスに、
一次セル及び１つ以上の二次セルを含む複数のセルの構成パラメータを含む少なくとも１つのメッセージを受信することと、
電力ヘッドルームレポート媒体アクセス制御制御要素（ＰＨＲ  ＭＡＣ  ＣＥ）を送信することであって、前記ＰＨＲ  ＭＡＣ  ＣＥが、
前記１つ以上の二次セルが、アップリンクを有する少なくとも１つのライセンス補助アクセス（ＬＡＡ）セルを含むことと、
前記少なくとも１つのＬＡＡセルが構成及びアクティブ化されていることと
に応答して、前記一次セルのためのＴｙｐｅ２電力ヘッドルームフィールドを含む、ことと
を行わせる、無線デバイス。
【請求項１０】
前記ＰＨＲ  ＭＡＣ  ＣＥが、前記一次セルのためのＴｙｐｅ１電力ヘッドルームフィールドを更に含む、請求項９に記載の無線デバイス。
【請求項１１】
前記ＰＨＲ  ＭＡＣ  ＣＥが、同時的な物理的アップリンク制御チャネル（ＰＵＣＣＨ）及び物理的アップリンク共有チャネル（ＰＵＳＣＨ）が構成されていることに応答して、前記Ｔｙｐｅ２電力ヘッドルームフィールドを含む、請求項９または請求項１０に記載の無線デバイス。
【請求項１２】
前記ＰＨＲ  ＭＡＣ  ＣＥが、少なくとも１つの物理的アップリンク制御チャネル（ＰＵＣＣＨ）二次セルを含む前記１つ以上の二次セルが構成及びアクティブ化されていることに応答して、前記Ｔｙｐｅ２電力ヘッドルームフィールドを含む、請求項９〜１１のいずれか一項に記載の無線デバイス。
【請求項１３】
前記少なくとも１つのメッセージが、拡張ＰＨＲが構成されていることを示す少なくとも１つのパラメータを含む、請求項９〜１２のいずれか一項に記載の無線デバイス。
【請求項１４】
前記少なくとも１つのメッセージが、同時的なＰＵＣＣＨ伝送及び物理的アップリンク共有チャネル伝送が前記一次セルについて構成されているか否かを示す第１の情報要素を更に含む、請求項９〜１３のいずれか一項に記載の無線デバイス。
【請求項１５】
前記１つ以上のプロセッサによって実行された時に、前記無線デバイスに、
ＰＵＣＣＨの決定された電力と、
ＰＵＳＣＨの決定された電力と
を使用して、前記Ｔｙｐｅ２電力ヘッドルームフィールドのためのＴｙｐｅ２電力ヘッドルームレベルを決定することと、
前記算出されたＰＵＳＣＨの電力を使用して、Ｔｙｐｅ１電力ヘッドルームフィールドのためのＴｙｐｅ１電力ヘッドルームレベルを決定することと
を行わせる、前記メモリに記憶された複数の命令を更に備える、請求項９〜１４のいずれか一項に記載の無線デバイス。
【手続補正２】
【補正対象書類名】明細書
【補正対象項目名】０１７２
【補正方法】変更
【補正の内容】
【０１７２】
最後に、「の手段」又は「のステップ」という明確な言葉を含む請求項のみが米国特許法第１１２条の下で解釈されることが本出願人の意図である。用語「の手段」又は「のステップ」を明示的に含まない請求項は、米国特許法第１１２条の下では解釈されないものとする。
本発明は、例えば、以下を提供する。
（項目１）
方法であって、
無線デバイスによって、一次セル及び１つ以上の二次セルを含む複数のセルの構成パラメータを含む、少なくとも１つのメッセージを受信することと；
前記１つ以上の二次セルのうちの少なくとも１つのアクティブ化を示すアクティブ化／非アクティブ化（Ａ／Ｄ）媒体アクセス制御制御要素（ＭＡＣ  ＣＥ）を受信することと；
電力ヘッドルーム（ＰＨＲ）ＭＡＣ  ＣＥを送信することであって、前記ＰＨＲ  ＭＡＣ  ＣＥが：
前記１つ以上の二次セルが、アップリンクを有する少なくとも１つのライセンス補助アクセス（ＬＡＡ）セルを含むことと；
前記少なくとも１つのＬＡＡセルが、構成及びアクティブ化されていることと；に応答して、前記一次セルのためのＴｙｐｅ２電力ヘッドルームフィールドを含むことと；を含む方法。
（項目２）
前記ＰＨＲ  ＭＡＣ  ＣＥが、前記一次セルのためのタイプ１電力ヘッドルームフィールドを更に含む、項目１に記載の方法。
（項目３）
前記ＰＨＲ  ＭＡＣ  ＣＥが、同時的な物理的アップリンク制御チャネル（ＰＵＣＣＨ）及び物理的アップリンク共有チャネル（ＰＵＳＣＨ）が構成されていることに応答して、前記Ｔｙｐｅ２電力ヘッドルームフィールドを含む、項目１に記載の方法。
（項目４）
前記ＰＨＲ  ＭＡＣ  ＣＥが、少なくとも１つの物理的アップリンク制御チャネル（ＰＵＣＣＨ）二次セルを含む前記１つ以上の二次セルが構成及びアクティブ化されていることに応答して、前記Ｔｙｐｅ２電力ヘッドルームフィールドを含む、項目１に記載の方法。
（項目５）
前記少なくとも１つのメッセージが、拡張されたＰＨＲが構成されていることを示す少なくとも１つのパラメータを含む、項目１に記載の方法。
（項目６）
前記少なくとも１つのメッセージが、同時的なＰＵＣＣＨ伝送及び物理的アップリンク共有チャネル伝送が前記一次セルについて構成されているか否かを示す第１の情報要素を更に含む、項目１に記載の方法。
（項目７）
前記Ｔｙｐｅ２電力ヘッドルームフィールドのためのＴｙｐｅ２電力ヘッドルームレベルを、
ＰＵＣＣＨの求められた電力と、
ＰＵＣＣＨの求められた電力と、
を使用して求めることと、
前記算出されたＰＵＳＨの電力を使用して、前記タイプ１電力ヘッドルームフィールドのためのタイプ１電力ヘッドルームレベルを求めることと、を更に含む、項目１に記載の方法。
（項目８）
パスロス基準の信号を測定することによって測定値を取得することを更に含み、前記Ｔｙｐｅ２電力ヘッドルームフィールドのためのＴｙｐｅ２電力ヘッドルームレベルの算出が前記測定値を使用する、項目１に記載の方法。
（項目９）
前記ＰＨＲ  ＭＡＣ  ＣＥが、基地局により、アップリンクパケットスケジューリング及びアップリンク電力制御のうちの少なくとも一方のために使用される、項目１に記載の方法。
（項目１０）
前記１つ以上の二次セルのうちの少なくとも１つの二次セルを、前記Ａ／Ｄ  ＭＡＣ  ＣＥに従ってアクティブ化又は非アクティブ化することを更に含む、項目１に記載の方法。
（項目１１）
前記Ａ／Ｄ  ＭＡＣ  ＣＥ内のビットが、対応する二次セルが構成されていることに応答して、前記対応する二次セルのアクティブ化／非アクティブ化状況を示す、項目１に記載の方法。
（項目１２）
前記Ａ／Ｄ  ＭＡＣ  ＣＥ内のビットが、前記ビットが１に設定されており、かつ対応する二次セルが構成されていることに応答して、前記対応する二次セルがアクティブ化されていることを示す、項目１に記載の方法。
（項目１３）
無線デバイスであって、
１つ以上のプロセッサと、
複数の命令を記憶しているメモリであって、前記複数の命令が、前記１つ以上のプロセッサによって実行された時に、前記無線デバイスに、
一次セル及び１つ以上の二次セルを含む複数のセルの構成パラメータを含む少なくとも１つのメッセージを受信させ、
前記１つ以上の二次セルのうちの少なくとも１つのアクティブ化を示すアクティブ化／非アクティブ化（Ａ／Ｄ）媒体アクセス制御制御要素（ＭＡＣ  ＣＥ）を受信させ、
電力ヘッドルーム（ＰＨＲ）ＭＡＣ  ＣＥを送信させ、前記ＰＨＲ  ＭＡＣ  ＣＥが、
前記１つ以上の二次セルが、アップリンクを有する少なくとも１つのライセンス補助アクセス（ＬＡＡ）セルを含むことと、
前記少なくとも１つのＬＡＡセルが構成及びアクティブ化されていることと、に応答して、前記一次セルのためのＴｙｐｅ２電力ヘッドルームフィールドを含む、メモリと、を備える無線デバイス。
（項目１４）
前記ＰＨＲ  ＭＡＣ  ＣＥが、前記一次セルのためのタイプ１電力ヘッドルームフィールドを更に含む、項目１３に記載の無線デバイス。
（項目１５）
前記ＰＨＲ  ＭＡＣ  ＣＥが、同時的な物理的アップリンク制御チャネル（ＰＵＣＣＨ）及び物理的アップリンク共有チャネル（ＰＵＳＣＨ）が構成されていることに応答して、前記Ｔｙｐｅ２電力ヘッドルームフィールドを含む、項目１３に記載の無線デバイス。
（項目１６）
前記ＰＨＲ  ＭＡＣ  ＣＥが、少なくとも１つの物理的アップリンク制御チャネル（ＰＵＣＣＨ）二次セルを含む前記１つ以上の二次セルが構成及びアクティブ化されていることに応答して、前記Ｔｙｐｅ２電力ヘッドルームフィールドを含む、項目１３に記載の無線デバイス。
（項目１７）
前記少なくとも１つのメッセージが、拡張ＰＨＲが構成されていることを示す少なくとも１つのパラメータを含む、項目１３に記載の無線デバイス。
（項目１８）
前記少なくとも１つのメッセージが、同時的なＰＵＣＣＨ伝送及び物理的アップリンク共有チャネル伝送が前記一次セルについて構成されているか否かを示す第１の情報要素を更に含む、項目１３に記載の無線デバイス。
（項目１９）
前記１つ以上のプロセッサによって実行された時に、前記無線デバイスに、
前記Ｔｙｐｅ２電力ヘッドルームフィールドのためのＴｙｐｅ２電力ヘッドルームレベルを、
ＰＵＣＣＨの求められた電力と、
ＰＵＳＣＨの求められた電力と、を用いて求めさせ、
前記算出されたＰＵＳＨの電力を使用して、前記タイプ１電力ヘッドルームフィールドのためのタイプ１電力ヘッドルームレベルを求めさせる  複数の命令を更に備える、項目１３に記載の無線デバイス。
（項目２０）
前記１つ以上のプロセッサによって実行された時に、前記無線デバイスに、パスロス基準の信号を測定することによって測定値を取得させる複数の命令を更に備え、前記Ｔｙｐｅ２電力ヘッドルームフィールドのためのＴｙｐｅ２電力ヘッドルームレベルの算出が前記測定値を使用する、項目１３に記載の無線デバイス。
（項目２１）
前記ＰＨＲ  ＭＡＣ  ＣＥが、基地局により、アップリンクパケットスケジューリング及びアップリンク電力制御のうちの少なくとも一方のために使用される、項目１３に記載の無線デバイス。
（項目２２）
前記１つ以上のプロセッサによって実行された時に、前記無線デバイスに、前記Ａ／Ｄ  ＭＡＣ  ＣＥに従って、前記１つ以上の二次セルのうちの少なくとも１つの二次セルをアクティブ化又は非アクティブ化させる複数の命令を更に備える、項目１３に記載の無線デバイス。
（項目２３）
前記Ａ／Ｄ  ＭＡＣ  ＣＥ内のビットが、対応する二次セルが構成されていることに応答して、前記対応する二次セルのアクティブ化／非アクティブ化状況を示す、項目１３に記載の無線デバイス。
（項目２４）
前記Ａ／Ｄ  ＭＡＣ  ＣＥ内のビットが、前記ビットが１に設定されており、かつ、対応する二次セルが構成されていることに応答して、前記対応する二次セルがアクティブ化されていることを示す、項目１３に記載の無線デバイス。
（項目２５）
方法であって、
無線デバイスにより、一次セル及び１つ以上の二次セルを含む複数のセルの構成パラメータを含む少なくとも１つのメッセージを受信することと、
電力ヘッドルーム（ＰＨＲ）ＭＡＣ  ＣＥを送信することであって、前記ＰＨＲ  ＭＡＣ  ＣＥが、
前記１つ以上の二次セルが、アップリンクを有する少なくとも１つのライセンス補助アクセス（ＬＡＡ）セルを含むことと、
前記少なくとも１つのＬＡＡセルが構成及びアクティブ化されていることと、に応答して、前記一次セルのためのＴｙｐｅ２電力ヘッドルームフィールドを含むことと、を含む方法。
（項目２６）
前記ＰＨＲ  ＭＡＣ  ＣＥが、前記一次セルのためのタイプ１電力ヘッドルームフィールドを更に含む、項目２５に記載の方法。
（項目２７）
前記ＰＨＲ  ＭＡＣ  ＣＥが、同時的な物理的アップリンク制御チャネル（ＰＵＣＣＨ）及び物理的アップリンク共有チャネル（ＰＵＳＣＨ）が構成されていることに応答して、前記Ｔｙｐｅ２電力ヘッドルームフィールドを含む、項目２５に記載の方法。
（項目２８）
前記ＰＨＲ  ＭＡＣ  ＣＥが、少なくとも１つの物理的アップリンク制御チャネル（ＰＵＣＣＨ）二次セルを含む前記１つ以上の二次セルが構成及びアクティブ化されていることに応答して、前記Ｔｙｐｅ２電力ヘッドルームフィールドを含む、項目２５に記載の方法。
（項目２９）
前記少なくとも１つのメッセージが、拡張されたＰＨＲが構成されていることを示す少なくとも１つのパラメータを含む、項目２５に記載の方法。
（項目３０）
前記少なくとも１つのメッセージが、同時的なＰＵＣＣＨ伝送及び物理的アップリンク共有チャネル伝送が前記一次セルについて構成されているか否かを示す第１の情報要素を更に含む、項目２５に記載の方法。
（項目３１）
項目２５に記載の方法であって、
前記Ｔｙｐｅ２電力ヘッドルームフィールドのためのＴｙｐｅ２電力ヘッドルームレベルを、
ＰＵＣＣＨの求められた電力と、
ＰＵＳＣＨの求められた電力とを用いて求めることと、
前記算出されたＰＵＳＨの電力を用いて、前記タイプ１電力ヘッドルームフィールドのためのタイプ１電力ヘッドルームレベルを求めることと、を更に含む、項目２５に記載の方法。
（項目３２）
パスロス基準の信号を測定することによって測定値を取得することを更に含み、前記Ｔｙｐｅ２電力ヘッドルームフィールドのためのＴｙｐｅ２電力ヘッドルームレベルの算出が前記測定値を使用する、項目２５に記載の方法。
（項目３３）
前記ＰＨＲ  ＭＡＣ  ＣＥが、基地局により、アップリンクパケットスケジューリング及びアップリンク電力制御のうちの少なくとも一方のために使用される、項目２５に記載の方法。
（項目３４）
無線デバイスであって、
１つ以上のプロセッサと、
複数の命令を記憶しているメモリであって、前記複数の命令が、前記１つ以上のプロセッサによって実行された時に、前記無線デバイスに、
一次セル及び１つ以上の二次セルを含む複数のセルの構成パラメータを含む少なくとも１つのメッセージを受信させ、
電力ヘッドルーム（ＰＨＲ）ＭＡＣ  ＣＥを送信させ、前記ＰＨＲ  ＭＡＣ  ＣＥが、
前記１つ以上の二次セルが、アップリンクを有する少なくとも１つのライセンス補助アクセス（ＬＡＡ）セルを含むことと、
前記少なくとも１つのＬＡＡセルが構成及びアクティブ化されていることと、に応答して、前記一次セルのためのＴｙｐｅ２電力ヘッドルームフィールドを含む、メモリと、を備える、無線デバイス。
（項目３５）
前記ＰＨＲ  ＭＡＣ  ＣＥが、前記一次セルのためのタイプ１電力ヘッドルームフィールドを更に含む、項目３４に記載の無線デバイス。
（項目３６）
前記ＰＨＲ  ＭＡＣ  ＣＥが、同時的な物理的アップリンク制御チャネル（ＰＵＣＣＨ）及び物理的アップリンク共有チャネル（ＰＵＳＣＨ）が構成されていることに応答して、前記Ｔｙｐｅ２電力ヘッドルームフィールドを含む、項目３４に記載の無線デバイス。
（項目３７）
前記ＰＨＲ  ＭＡＣ  ＣＥが、少なくとも１つの物理的アップリンク制御チャネル（ＰＵＣＣＨ）二次セルを含む前記１つ以上の二次セルが構成及びアクティブ化されていることに応答して、前記Ｔｙｐｅ２電力ヘッドルームフィールドを含む、項目３４に記載の無線デバイス。
（項目３８）
前記少なくとも１つのメッセージが、拡張されたＰＨＲが構成されていることを示す少なくとも１つのパラメータを含む、項目３４に記載の無線デバイス。
（項目３９）
前記少なくとも１つのメッセージが、同時的なＰＵＣＣＨ伝送及び物理的アップリンク共有チャネル伝送が前記一次セルについて構成されているか否かを示す第１の情報要素を更に含む、項目３４に記載の無線デバイス。
（項目４０）
前記１つ以上のプロセッサによって実行された時に、前記無線デバイスに、
前記Ｔｙｐｅ２電力ヘッドルームフィールドのためのＴｙｐｅ２電力ヘッドルームレベルを、
ＰＵＣＣＨの求められた電力と、
ＰＵＳＣＨの求められた電力と、
を用いて求めさせ、前記算出されたＰＵＳＨの電力を用いて、前記タイプ１電力ヘッドルームフィールドのためのタイプ１電力ヘッドルームレベルを求めさせる複数の命令を更に備える、項目３４に記載の無線デバイス。
（項目４１）
前記１つ以上のプロセッサによって実行された時に、前記無線デバイスに、パスロス基準の信号を測定することによって測定値を取得させる複数の命令を更に備え、前記Ｔｙｐｅ２電力ヘッドルームフィールドのためのＴｙｐｅ２電力ヘッドルームレベルの算出が、前記測定値を使用する、項目３４に記載の無線デバイス。
（項目４２）
前記ＰＨＲ  ＭＡＣ  ＣＥが、基地局により、アップリンクパケットスケジューリング及びアップリンク電力制御のうちの少なくとも一方のために使用される、項目３４に記載の無線デバイス。
【国際調査報告】
2019519986.tif 000037
2019519986.tif 000038
2019519986.tif 000039